(57)【要約】  本発明は、ユーザの昇降機搭乗のインテリジェントガイド方法、装置、プログラム及び記録媒体を提供し、上記方法は、ユーザの現在の位置情報を確定するステップと、ユーザの出発階と目標階を獲得するステップと、上記ユーザの現在の位置情報、上記出発階と目標階に基づいて、目標昇降機に到達する経路情報を獲得するステップと、上記経路情報に基づいて、上記ユーザの上記目標昇降機への搭乗をガイドするステップと、を含む。本発明に係るユーザの昇降機搭乗のインテリジェントガイド方法を用いると、大型建物、または建物内にいるユーザに最も便利な昇降機搭乗方式をインテリジェントに推薦し、ユーザの目標昇降機への搭乗をガイドすることができ、ユーザが昇降機を探す時間を節約することができる。【選択図】図１
2018504613.tif 000002
【特許請求の範囲】
【請求項１】
ユーザの現在の位置情報を確定するステップと、
ユーザの出発階と目標階を獲得するステップと、
前記ユーザの現在の位置情報、前記出発階と目標階に基づいて、目標昇降機に到達する経路情報を獲得するステップと、
前記経路情報に基づいて、前記ユーザの前記目標昇降機への搭乗をガイドするステップと、
を含むことを特徴とするユーザの昇降機搭乗のインテリジェントガイド方法。
【請求項２】
グローバル・ポジショニング・システムを通じて、前記ユーザの現在の位置情報を確定する方式と、
移動測位技術を通じて、前記ユーザの現在の位置情報を確定する方式と、
室内測位技術を通じて、前記ユーザの現在の位置情報を確定する方式のうちの何れかの方式を採用して、前記ユーザの現在の位置情報を確定することを特徴とする請求項１に記載のユーザの昇降機搭乗のインテリジェントガイド方法。
【請求項３】
前記ユーザが搭乗する昇降機の出発階と目標階を獲得するステップは、
室内ナビゲーションアプリケーションＡＰＰを作動させるステップと、
前記室内ナビゲーションアプリケーションＡＰＰを通じて、前記ユーザから入力された出発階と目標階を受信するステップと、
を含むことを特徴とする請求項１に記載のユーザの昇降機搭乗のインテリジェントガイド方法。
【請求項４】
前記ユーザから入力された室内ナビゲーションアプリケーションＡＰＰを作動させるための操作指令に応答して、前記室内ナビゲーションアプリケーションＡＰＰを作動させる方式、または、
前記ユーザの現在の位置情報が予め設定された地理範囲内にあると検出される場合、前記室内ナビゲーションアプリケーションＡＰＰを作動させる方式のうちの何れかの方式を採用して、前記室内ナビゲーションアプリケーションＡＰＰを作動させることを特徴とする請求項３に記載のユーザの昇降機搭乗のインテリジェントガイド方法。
【請求項５】
前記ユーザの現在の位置情報、前記出発階と目標階に基づいて、前記目標昇降機に到達する経路情報を獲得するステップは、
前記出発階と目標階の差に基づいて、目標候補昇降機を確定するステップと、
同一の階におけるすべての目標候補昇降機の位置情報を獲得するステップと、
前記ユーザの現在の位置情報と前記すべての目標候補昇降機の位置情報に基づいて、最も近い目標候補昇降機に到達する経路情報を獲得するステップと、
を含むことを特徴とする請求項１に記載のユーザの昇降機搭乗のインテリジェントガイド方法。
【請求項６】
出発階と目標階の差に基づいて、前記目標候補昇降機を確定するステップは、
前記目標階と前記出発階の階差値を算出するステップと、
前記階差値が予め設定された閾値より小さいか否かを判断するステップと、
前記階差値が予め設定された閾値より小さい場合、エスカレータを前記目標候補昇降機とするステップと、
前記階差値が前記予め設定された閾値以上である場合、エレベータを前記目標候補昇降機とするステップと、
を含むことを特徴とする請求項５に記載のユーザの昇降機搭乗のインテリジェントガイド方法。
【請求項７】
前記目標候補昇降機がエスカレータである場合、前記ユーザが目標エスカレータに搭乗したか否かを判断するステップと、
前記ユーザが前記目標エスカレータに搭乗しなかった場合、第２のエスカレータを確定するステップと、
前記第２のエスカレータに到達する第２の経路情報を獲得するステップと、
前記第２の経路情報に基づいて、前記ユーザの前記第２のエスカレータへの搭乗をガイドするステップと、
をさらに含むことを特徴とする請求項６に記載のユーザの昇降機搭乗のインテリジェントガイド方法。
【請求項８】
前記ユーザが前記目標エスカレータに搭乗したか否かを判断するステップは、
監視ビデオに基づいて、前記ユーザが前記目標エスカレータに搭乗したか否かを判断するステップ、または、
前記ユーザに問い合わせる方式を通じて、前記ユーザが前記目標エスカレータに搭乗したか否かを判断するステップを含むことを特徴とする請求項７に記載のユーザの昇降機搭乗のインテリジェントガイド方法。
【請求項９】
ユーザの現在の位置情報を確定するように構成される位置確定モジュールと、
ユーザの出発階と目標階を獲得するように構成される階確定モジュールと、
前記ユーザの現在の位置情報、前記出発階と目標階に基づいて、目標昇降機に到達する経路情報を獲得するように構成される第１の経路確定モジュールと、
前記経路情報に基づいて、前記ユーザの前記目標昇降機への搭乗をガイドするように構成される第１のガイドモジュールと、
を含むことを特徴とするユーザの昇降機搭乗のインテリジェントガイド装置。
【請求項１０】
前記位置確定モジュールは、
グローバル・ポジショニング・システムを通じて、前記ユーザの現在の位置情報を確定するように構成される第１の確定サブモジュールと、
移動測位技術を通じて、前記ユーザの現在の位置情報を確定するように構成される第２の確定サブモジュールと、
室内測位技術を通じて、前記ユーザの現在の位置情報を確定するように構成される第３の確定サブモジュールと、
を含むことを特徴とする請求項９に記載のユーザの昇降機搭乗のインテリジェントガイド装置。
【請求項１１】
前記階確定モジュールは、
室内ナビゲーションアプリケーションＡＰＰを作動させるように構成される作動サブモジュールと、
前記室内ナビゲーションアプリケーションＡＰＰを通じて、前記ユーザから入力された出発階と目標階を受信するように構成される受信サブモジュールと、
を含むことを特徴とする請求項９に記載のユーザの昇降機搭乗のインテリジェントガイド装置。
【請求項１２】
前記作動サブモジュールは、
前記ユーザから入力された室内ナビゲーションアプリケーションＡＰＰを作動させるための操作指令に応答して、前記室内ナビゲーションアプリケーションＡＰＰを作動させるように構成される第１の作動ユニット、または、
前記ユーザの現在の位置情報が予め設定された地理範囲内にあると検出される場合、前記室内ナビゲーションアプリケーションＡＰＰを作動させるように構成される第２の作動ユニットを含むことを特徴とする請求項１１に記載のユーザの昇降機搭乗のインテリジェントガイド装置。
【請求項１３】
前記第１の経路確定モジュールは、
前記出発階と目標階の差に基づいて、目標候補昇降機を確定するように構成される昇降機候補確定サブモジュールと、
同一の階におけるすべての目標候補昇降機の位置情報を獲得するように構成される位置統計サブモジュールと、
前記ユーザの現在の位置情報と前記すべての目標候補昇降機の位置情報に基づいて、最も近い目標候補昇降機に到達する経路情報を獲得するように構成される経路企画サブモジュールと、
を含むことを特徴とする請求項９に記載のユーザの昇降機搭乗のインテリジェントガイド装置。
【請求項１４】
前記昇降機候補確定サブモジュールは、
前記目標階と前記出発階の階差値を算出するように構成される算出ユニットと、
前記階差値が予め設定された閾値より小さいか否かを判断するように構成される判断ユニットと、
前記階差値が予め設定された閾値より小さい場合、エスカレータを前記目標候補昇降機とするように構成される第１の候補確定ユニットと、
前記階差値が前記予め設定された閾値以上である場合、エレベータを前記目標候補昇降機とするように構成される第２の候補確定ユニットと、
を含むことを特徴とする請求項１３に記載のユーザの昇降機搭乗のインテリジェントガイド装置。
【請求項１５】
前記目標候補昇降機がエスカレータである場合、前記ユーザが目標エスカレータに搭乗したか否かを判断するように構成される搭乗判断モジュールと、
前記ユーザが前記目標エスカレータに搭乗しなかった場合、第２のエスカレータを確定するように構成される昇降機確定モジュールと、
前記第２のエスカレータに到達する第２の経路情報を獲得するように構成される第２の経路確定モジュールと、
前記第２の経路情報に基づいて、前記ユーザの前記第２のエスカレータへの搭乗をガイドするように構成される第２のガイドモジュールと、
をさらに含むことを特徴とする請求項１４に記載のユーザの昇降機搭乗のインテリジェントガイド装置。
【請求項１６】
前記搭乗判断モジュールは、
監視ビデオに基づいて、前記ユーザが前記目標エスカレータに搭乗したか否かを判断するように構成される第１の判断サブモジュール、または、
ユーザに問い合わせる方式を通じて、前記ユーザが前記目標エスカレータに搭乗したか否かを判断するように構成される第２の判断サブモジュールを含むことを特徴とする請求項１５に記載のユーザの昇降機搭乗のインテリジェントガイド装置。
【請求項１７】
プロセッサと、
前記プロセッサにより実行可能な命令を記憶するためのメモリと、
を含み、
前記プロセッサは、
ユーザの現在の位置情報を確定し、
ユーザの出発階と目標階を獲得し、
前記ユーザの現在の位置情報、前記出発階と目標階に基づいて、目標昇降機に到達する経路情報を獲得し、
前記経路情報に基づいて、前記ユーザの目標昇降機への搭乗をガイドするように構成されることを特徴とするユーザの昇降機搭乗のインテリジェントガイド装置。
【発明の詳細な説明】
【技術分野】
【０００１】
本発明は、コンピュータ通信技術分野に関するものであり、特に、ユーザの昇降機(エレベータとエスカレータを含む)搭乗のインテリジェントガイド方法、及び装置に関するものである。
【背景技術】
【０００２】
コンピュータ技術の目覚ましい発展と普及にしたがい、地理情報システム（Ｇｅｏｇｒａｐｈｙ Ｉｎｆｏｒｍａｔｉｏｎ Ｓｙｓｔｅｍ，ＧＩＳ）およびその基礎の上で発展した「デジタル地球」、「デジタル都市」、「デジタルビル」は、人々の生産と生活において徐々に重要な効果をもたらしている。
【０００３】
現在、ＧＩＳ分野では、室内ナビゲーションのアプリケーションが飛躍的な発展を遂げている。室内ナビゲーションは、大型建物内に身を置く人々、例えば大型百貨店の消費者に、正確な測位機能を利用して自らの位置を確定し、行きたい場所を探し出すことができるようにする。すなわち、消費者は、室内ナビゲーションを使用して、大型建物の昇降機、トイレ、指定の店などの指定場所を簡単に探し出すことができる。
【発明の概要】
【０００４】
このような点から考えて、本発明は、昇降機搭乗のインテリジェントガイド方法、及び装置を提供して、関連技術において、人々が大型建物で昇降機を探し難い問題を解決する。
【０００５】
本発明の実施例の第１の態様によると、ユーザの昇降機搭乗のインテリジェントガイド方法を提供し、上記方法は、
ユーザの現在の位置情報を確定するステップと、
ユーザの出発階と目標階を獲得するステップと、
前記ユーザの現在の位置情報、前記出発階と目標階に基づいて、目標昇降機に到達する経路情報を獲得するステップと、
前記経路情報に基づいて、前記ユーザの前記目標昇降機への搭乗をガイドするステップと、を含む。
【０００６】
選択的に、グローバル・ポジショニング・システムを通じて、前記ユーザの現在の位置情報を確定する方式と、
移動測位技術を通じて、前記ユーザの現在の位置情報を確定する方式と、
室内測位技術を通じて、前記ユーザの現在の位置情報を確定する方式のうちの何れかの方式を採用して、前記ユーザの現在の位置情報を確定する。
【０００７】
選択的に、前記ユーザが搭乗する昇降機の出発階と目標階を獲得するステップは、
室内ナビゲーションアプリケーションＡＰＰを作動させるステップと、
前記室内ナビゲーションアプリケーションＡＰＰを通じて、前記ユーザから入力された出発階と目標階を受信するステップと、を含む。
【０００８】
選択的に、前記ユーザから入力された室内ナビゲーションアプリケーションＡＰＰを作動させるための操作指令に応答して、前記室内ナビゲーションアプリケーションＡＰＰを作動させる方式、または、
前記ユーザの現在の位置情報が予め設定された地理範囲内にあると検出される場合、前記室内ナビゲーションアプリケーションＡＰＰを作動させる方式のうちの何れかの方式を採用して、前記室内ナビゲーションアプリケーションＡＰＰを作動させる。
【０００９】
選択的に、前記ユーザの現在の位置情報、前記出発階と目標階に基づいて、前記目標昇降機に到達する経路情報を獲得するステップは、
前記出発階と目標階の差に基づいて、目標候補昇降機を確定するステップと、
同一の階におけるすべての目標候補昇降機の位置情報を獲得するステップと、
前記ユーザの現在の位置情報と前記すべての目標候補昇降機の位置情報に基づいて、最も近い目標候補昇降機に到達する経路情報を獲得するステップと、を含む。
【００１０】
選択的に、前記出発階と目標階の差に基づいて、前記目標候補昇降機を確定するステップは、
前記目標階と前記出発階の階差値を算出するステップと、
前記階差値が予め設定された閾値より小さいか否かを判断するステップと、
前記階差値が予め設定された閾値より小さい場合、エスカレータを前記目標候補昇降機とするステップと、
前記階差値が前記予め設定された閾値以上である場合、エレベータを前記目標候補昇降機とするステップと、を含む。
【００１１】
選択的に、前記方法は、
前記目標候補昇降機がエスカレータである場合、前記ユーザが目標エスカレータに搭乗したか否かを判断するステップと、
前記ユーザが前記目標エスカレータに搭乗しなかった場合、第２のエスカレータを確定するステップと、
前記第２のエスカレータに到達する第２の経路情報を獲得するステップと、
前記第２の経路情報に基づいて、前記ユーザの前記第２のエスカレータへの搭乗をガイドするステップと、をさらに含む。
【００１２】
選択的に、前記ユーザが前記目標エスカレータに搭乗したか否かを判断するステップは、
監視ビデオに基づいて、前記ユーザが前記目標エスカレータに搭乗したか否かを判断するステップ、または、
前記ユーザに問い合わせる方式を通じて、前記ユーザが前記目標エスカレータに搭乗したか否かを判断するステップを含む。
【００１３】
本発明の実施例の第２の態様によると、ユーザの昇降機搭乗のインテリジェントガイド装置を提供し、上記装置は、
ユーザの現在の位置情報を確定するように構成される位置確定モジュールと、
ユーザの出発階と目標階を獲得するように構成される階確定モジュールと、
前記ユーザの現在の位置情報、前記出発階と目標階に基づいて、目標昇降機に到達する経路情報を獲得するように構成される第１の経路確定モジュールと、
前記経路情報に基づいて、前記ユーザの前記目標昇降機への搭乗をガイドするように構成される第１のガイドモジュールと、を含む。
【００１４】
選択的に、前記位置確定モジュールは、
グローバル・ポジショニング・システムを通じて、前記ユーザの現在の位置情報を確定するように構成される第１の確定サブモジュールと、
移動測位技術を通じて、前記ユーザの現在の位置情報を確定するように構成される第２の確定サブモジュールと、
室内測位技術を通じて、前記ユーザの現在の位置情報を確定するように構成される第３の確定サブモジュールと、を含む。
【００１５】
選択的に、前記階確定モジュールは、
室内ナビゲーションアプリケーションＡＰＰを作動させるように構成される作動サブモジュールと、
前記室内ナビゲーションアプリケーションＡＰＰを通じて、前記ユーザから入力された出発階と目標階を受信するように構成される受信サブモジュールと、を含む。
【００１６】
選択的に、前記作動サブモジュールは、
前記ユーザから入力された室内ナビゲーションアプリケーションＡＰＰを作動させるための操作指令に応答して、前記室内ナビゲーションアプリケーションＡＰＰを作動させるように構成される第１の作動ユニット、または、
前記ユーザの現在の位置情報が予め設定された地理範囲内にあると検出される場合、室内ナビゲーションアプリケーションＡＰＰを作動させるように構成される第２の作動ユニットを含む。
【００１７】
選択的に、前記第１の経路確定モジュールは、
前記出発階と目標階の差に基づいて、目標候補昇降機を確定するように構成される昇降機候補確定サブモジュールと、
同一の階におけるすべての目標候補昇降機の位置情報を獲得するように構成される位置統計サブモジュールと、
前記ユーザの現在の位置情報と前記すべての目標候補昇降機の位置情報に基づいて、最も近い目標候補昇降機に到達する経路情報を獲得するように構成される経路企画サブモジュールと、を含む。
【００１８】
選択的に、前記昇降機候補確定サブモジュールは、
前記目標階と前記出発階の階差値を算出するように構成される算出ユニットと、
前記階差値が予め設定された閾値より小さいか否かを判断するように構成される判断ユニットと、
前記階差値が予め設定された閾値より小さい場合、エスカレータを前記目標候補昇降機とするように構成される第１の候補確定ユニットと、
前記階差値が前記予め設定された閾値以上である場合、エレベータを前記目標候補昇降機とするように構成される第２の候補確定ユニットと、を含む。
【００１９】
選択的に、前記装置は、
前記目標候補昇降機がエスカレータである場合、前記ユーザが目標エスカレータに搭乗したか否かを判断するように構成される搭乗判断モジュールと、
前記ユーザが前記目標エスカレータに搭乗しなかった場合、第２のエスカレータを確定するように構成される昇降機確定モジュールと、
前記第２のエスカレータに到達する第２の経路情報を獲得するように構成される第２の経路確定モジュールと、
前記第２の経路情報に基づいて、前記ユーザの前記第２のエスカレータへの搭乗をガイドするように構成される第２のガイドモジュールと、をさらに含む。
【００２０】
選択的に、前記搭乗判断モジュールは、
監視ビデオに基づいて、前記ユーザが前記目標エスカレータに搭乗したか否かを判断するように構成される第１の判断サブモジュール、または、
ユーザに問い合わせる方式を通じて、前記ユーザが前記目標エスカレータに搭乗したか否かを判断するように構成される第２の判断サブモジュールを含む。
【００２１】
本発明の実施例の第３の態様によると、ユーザの昇降機搭乗のインテリジェントガイド装置を提供し、上記装置は、
プロセッサと、
前記プロセッサにより実行可能な命令を記憶するためのメモリと、を含み、
前記プロセッサは、
ユーザの現在の位置情報を確定し、
ユーザの出発階と目標階を獲得し、
前記ユーザの現在の位置情報、前記出発階と目標階に基づいて、目標昇降機に到達する経路情報を獲得し、
前記経路情報に基づいて、前記ユーザの目標昇降機への搭乗をガイドするように構成される。
【００２２】
本発明の実施例に係る態様によれば、下記の有益な効果が得られる。
【００２３】
本発明において、ユーザ端末は、大型建物のＧＩＳデータベースを用いて、自動的にユーザに昇降機情報を推薦し、目標昇降機に到達する経路情報を生成し、当該経路情報に基づいて、ユーザが目標昇降機に到達するようにガイドすることによって、迅速、且つインテリジェントにユーザにナビゲーションサービスを提供することができ、ユーザが大型建物で昇降機を探し回る不便さを避け、ユーザの時間を節約し、ユーザ体験を向上させる。
【００２４】
本発明において、グローバル・ポジショニング・システム、移動測位技術、室内測位技術を用いて、ユーザの現在の位置情報を確定することによって、ユーザ位置の正確性を確保して、ユーザに目標昇降機を正確に推薦することができる。
【００２５】
本発明において、室内ナビゲーションアプリケーションＡＰＰを作動させた後、室内ナビゲーションアプリケーションＡＰＰが提供するユーザインタフェースで、ユーザから入力された出発階と目標階情報を受信することによって、より正確な階情報を獲得することができる。
【００２６】
本発明において、ユーザ端末は、ユーザが指定の大型建物に入ったと検出されると、自動的に室内ナビゲーションアプリケーションＡＰＰをオンにし、当該場所のＧＩＳデータをアップロードして、昇降機推薦モードをインテリジェントに作動させる。ユーザは、室内ナビゲーションアプリケーションＡＰＰを手動でオンにして、ユーザ端末が昇降機推薦サービスを提供するように要求することもでき、使用に便利である。
【００２７】
本発明において、ユーザ端末は、ユーザの現在の位置情報、出発階と目標階に基づいて、ユーザのために最も便利な昇降機をインテリジェントに選択し、該当する経路情報を生成することによって、ユーザが最も近い経路に沿って昇降機に搭乗するようにし、ユーザが昇降機を探す時間を節約することができる。
【００２８】
本発明において、出発階と目標階情報を獲得した後、両者の差を算出し、両者の差が比較的大きい場合、ユーザにエレベータを推薦し、両者の差が比較的小さい場合、ユーザにエスカレータを推薦することによって、昇降機資源の利用を合理的に企画する。
【００２９】
本発明において、ユーザが目標エスカレータに到達した後、ユーザが約束どおりに目標エスカレータに搭乗したか否かを判断し、エスカレータの運行方向がユーザの希望に合わない場合、ユーザのために自動的に第２のエスカレータの経路情報を企画することによって、ユーザがエスカレータの運行方向が間違っていることが分かった時に、最も近い正確な昇降機に迅速に到達できるようにする。
【００３０】
本発明において、監視ビデオを用いて、ユーザが目標昇降機に搭乗したか否かを判断してもよく、ユーザが目標昇降機に到達したときにユーザインタフェースを提供して、ユーザに目標昇降機に搭乗したか否かを問い合わせてもよいため、ユーザが目標昇降機に搭乗したか否かを正確に判断することができる。
【００３１】
以上の一般的な記述と、以下の詳細の記述は、ただ例示的なものであって、本発明を限定するものではないことを理解すべきである。
【図面の簡単な説明】
【００３２】
以下の図面は、明細書に組み込まれて本明細書の一部分を構成し、本発明に係る実施例を例示するとともに、明細書とともに本発明の原理を解釈するために用いられる。
【図１】図１は、本発明の１つの例示的な実施例に係るユーザの昇降機搭乗のインテリジェントガイド方法のフローチャートである。
【図２】図２は、本発明の１つの例示的な実施例に係る別のユーザの昇降機搭乗のインテリジェントガイド方法のフローチャートである。
【図３】図３は、本発明の１つの例示的な実施例に係るユーザの昇降機搭乗のインテリジェントガイド応用場面の模式図である。
【図４Ａ】図４Ａは、本発明の１つの例示的な実施例に係るユーザの昇降機搭乗のインテリジェントガイド応用場面の模式図である。
【図４Ｂ】図４Ｂは、本発明の１つの例示的な実施例に係る別のユーザの昇降機搭乗のインテリジェントガイド応用場面の模式図である。
【図４Ｃ】図４Ｃは、本発明の１つの例示的な実施例に係る別のユーザの昇降機搭乗のインテリジェントガイド応用場面の模式図である。
【図５】図５は、本発明の１つの例示的な実施例に係る別のユーザの昇降機搭乗のインテリジェントガイド方法のフローチャートである。
【図６】図６は、本発明の１つの例示的な実施例に係る別のユーザの昇降機搭乗のインテリジェントガイド方法のフローチャートである。
【図７】図７は、本発明の１つの例示的な実施例に係るユーザの昇降機搭乗のインテリジェントガイド応用場面の模式図である。
【図８】図８は、本発明の１つの例示的な実施例に係る別のユーザの昇降機搭乗のインテリジェントガイド方法のフローチャートである。
【図９】図９は、本発明の１つの例示的な実施例に係るユーザの昇降機搭乗のインテリジェントガイド装置のブロック図である。
【図１０】図１０は、本発明の１つの例示的な実施例に係る別のユーザの昇降機搭乗のインテリジェントガイド装置のブロック図である。
【図１１】図１１は、本発明の１つの例示的な実施例に係る別のユーザの昇降機搭乗のインテリジェントガイド装置のブロック図である。
【図１２】図１２は、本発明の１つの例示的な実施例に係る別のユーザの昇降機搭乗のインテリジェントガイド装置のブロック図である。
【図１３】図１３は、本発明の１つの例示的な実施例に係る別のユーザの昇降機搭乗のインテリジェントガイド装置のブロック図である。
【図１４】図１４は、本発明の１つの例示的な実施例に係る別のユーザの昇降機搭乗のインテリジェントガイド装置のブロック図である。
【図１５】図１５は、本発明の１つの例示的な実施例に係る別のユーザの昇降機搭乗のインテリジェントガイド装置のブロック図である。
【図１６】図１６は、本発明の１つの例示的な実施例に係る別のユーザの昇降機搭乗のインテリジェントガイド装置のブロック図である。
【図１７】図１７は、本発明の１つの例示的な実施例に係るユーザの昇降機搭乗のインテリジェントガイド用の装置の構成の模式図である。
【発明を実施するための形態】
【００３３】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００３４】
本発明で使用される用語は特定の実施例を表現する目的でのみ用いられており、本発明を限定するものではない。本発明と添付された特許請求の範囲において使用された単数形式の「一種」、「上記」、および「当該」も、上下の文がその他の意味を明確に示す場合を除き、複数の形式を含むものである。さらに理解するべきことは、本文中で使用される「及び／又は」は一又は複数の関連する列挙項目のいずれか又はすべての可能な組合せを含む。
【００３５】
理解が必要なことは、本発明において第１、第２、第３などの用語を採用して各種情報を表現しているかもしれないが、これらの情報はこれらの用語に限定されない。これらの用語は、同一類型の情報を互いに区別するためだけに用いられる。例えば、本発明の範囲を超えない状況の下、第１の情報は第２の情報ということもでき、同様に、第２の情報を第１の情報ということもできる。言葉環境によって、例えば、ここで使用している単語「もし」は、「…であるとき」、「…である際」又は「確定に応じて」に解釈してもよい。
【００３６】
理解の利便性のために、まず説明すべきなことは、本発明の実施例において、ユーザの端末で実行される室内ナビゲーションアプリケーションＡＰＰを提供して、ユーザが自分の移動端末機器に当該ＡＰＰをインストールすることができる。これに対応して、アプリケーションサーバは、室内地図データを提供して、ユーザ端末の室内ナビゲーションアプリケーションＡＰＰとのインタラクションを実現することができ、ユーザ端末を通じて、ユーザの昇降機への搭乗をガイドする機能を実現する。
【００３７】
図１は、本発明の１つの例示的な実施例に係るユーザの昇降機搭乗のインテリジェントガイド方法のフローチャートであり、下記のステップを含む。
【００３８】
ステップ１１において、ユーザの現在の位置情報を確定する。
【００３９】
本発明においては、経緯度、海抜高度でユーザの現在位置を示してもよく、ある参照物に対する方向と距離でユーザの現在の位置情報を示してもよい。
【００４０】
ユーザ端末を携えたユーザが大型建物、例えば大型百貨店にいる場合、ユーザ端末は、下記の何れかの方式を採用してユーザの現在の位置情報を確定することができる。
【００４１】
第１の方式：グローバル・ポジショニング・システムを通じて、上記ユーザの現在の位置情報を確定する。
【００４２】
ＧＰＳ（Ｇｌｏｂａｌ Ｐｏｓｉｔｉｏｎｉｎｇ Ｓｙｓｔｅｍ，グローバル・ポジショニング・システム）は、衛星に基づくナビゲーションシステムである。ＧＰＳ衛星は、一日に地球を２周回り、非常に正確な軌道で運行しながら地球に自分の位置情報を送信する。ＧＰＳ受信機は、当該情報を獲得し、三角測量技術を用いてユーザの現在の正確な位置を算出する。
【００４３】
第２の方式：移動測位技術を通じて、上記ユーザの現在の位置情報を確定する。
【００４４】
例えば、ＣＯＯ（Ｃｅｌｌ Ｏｆ Ｏｒｉｇｉｎ，携帯電話基地局測位）移動測位技術を採用して、ユーザ端末を携えたユーザの現在位置を確定する。ここで、ＣＯＯ移動測位技術は、セルラー電話システムで移動ユーザの位置を探す移動測位技術である。当該方法は、移動端末の所在領域で位置を示す。所在領域の基地局に登録すると、対応する領域に示すことができ、基地局の位置を探すことによって、ユーザ端末の現在位置を確定する。
【００４５】
第３の方式：室内測位技術を通じて、上記ユーザの現在の位置情報を確定する。
【００４６】
室内測位技術は、ブルートゥース（登録商標）測位、ジグビー（Ｚｉｇｂｅｅ）（登録商標）測位、Ｗｉ−Ｆｉ（登録商標）測位などを含む。ここで、Ｗｉ−Ｆｉ測位は、具体的に、移動機器のＷｉ−Ｆｉ指紋に基づいて端末機器の位置を確定する技術である。具体的な過程は、下記のようである。まず、室内の各ＡＰ（Ａｃｃｅｓｓ Ｐｏｉｎｔ，無線ネットワークアクセスポイント）の情報を登録する。その後、室内の複数の収集ポイントで各ＡＰのＲＳＳＩ（Ｒｅｃｅｉｖｅｄ Ｓｉｇｎａｌ Ｓｔｒｅｎｇｔｈ Ｉｎｄｉｃａｔｉｏｎ，信号強度）を収集して収集ポイントの指紋とし、これをＷｉ−Ｆｉ指紋と称し、その後、収集したＷｉ−Ｆｉ指紋と位置情報をサーバに記憶する。最後に、ユーザ端末について測位する必要がある場合、ユーザ端末のＷｉ−Ｆｉ指紋をサーバにアップロードし、サーバは、事前に収集したデータに基づいて、ユーザ端末の現在の位置情報を判断する。
【００４７】
ステップ１２において、ユーザの出発階と目標階を獲得する。
【００４８】
本発明において、下記の何れかの方式を採用して、ユーザの出発階情報を獲得することができる。
【００４９】
第１の方式：ステップ１１で獲得したユーザの現在の位置情報に基づいて、大型建物のデジタル地理模型と合わせて、ユーザが現在位置する階情報を確定して、上記出発階とする。
【００５０】
第２の方式：室内ナビゲーションアプリケーションＡＰＰを作動させて、ユーザから入力された出発階情報をＡＰＰユーザインタフェースから受信する。
【００５１】
目標階情報の獲得は、ユーザが室内ナビゲーションアプリケーションＡＰＰインタフェースに入力した目標階情報に基づいて獲得することができる。
【００５２】
図２に示された本発明の１つの例示的な実施例に係る別のユーザの昇降機搭乗のインテリジェントガイド方法のフローチャートを参照すると、図１に示された実施例を基礎として、ステップ１２は、下記のステップを含んでもよい。
【００５３】
ステップ１２１において、室内ナビゲーションアプリケーションＡＰＰを作動させる。
【００５４】
本発明において、１つのケースでは、ユーザから入力された室内ナビゲーションアプリケーションＡＰＰを作動させるための操作指令に応答して、室内ナビゲーションアプリケーションＡＰＰを作動させる。上記ユーザの操作指令は、ユーザから入力されたユーザ身分認証情報、または指定の動作などであってもよい。例えば、ユーザから入力されたユーザ識別子をユーザ端末の室内ナビゲーションアプリケーションＡＰＰアプリケーションインタフェースから受信し、当該ユーザ識別子は、ユーザのアカウントであってもよい。バックグラウンドアプリケーションプログラムは、上記ユーザ識別子に対する身分認証を通じて、室内ナビゲーションアプリケーションＡＰＰを作動させ、本発明の１つの例示的な実施例に係るユーザの昇降機搭乗のインテリジェントガイド応用場面の模式図は、図３に示される。また、例えば、室内ナビゲーションアプリケーションＡＰＰイメージに対するユーザの実行動作に応答して、例えば、室内ナビゲーションアプリケーションＡＰＰアイコンなどに対するダブルクリックに応答して、上記実行動作と予め設定された動作を比較し、ユーザの実行動作が予め設定された動作に合う場合、図３に示されるように、室内ナビゲーションアプリケーションＡＰＰを作動させて該当するユーザインタフェースを提供してもよい。
【００５５】
別のケースでは、上記ユーザの現在位置が予め設定された地理範囲内にあると検出される場合、室内ナビゲーションアプリケーションＡＰＰを作動させる。
【００５６】
例えば、ユーザの現在の位置情報を獲得した後、ユーザが現在予め設定された百貨店内にいるか否かを判断し、ユーザが上記予め設定された百貨店に入ったと判断される場合、図３に示されるように、室内ナビゲーションアプリケーションＡＰＰを作動させてもよい。
【００５７】
ステップ１２２において、上記室内ナビゲーションアプリケーションＡＰＰを通じて、ユーザから入力された出発階と目標階を受信する。
【００５８】
室内ナビゲーションアプリケーションＡＰＰは、例えば指定の店を検索する機能、公共施設、例えばトイレ、昇降機を検索する機能などのいろいろな機能を提供することができ、販売者の商品情報を表示する機能なども提供することができる。本発明においては、主に、室内ナビゲーションアプリケーションＡＰＰの昇降機検索機能を利用する。上記昇降機検索機能に対応して、室内ナビゲーションアプリケーションＡＰＰは、対応するユーザインタフェース、例えば、タイトルが「昇降機ナビゲーション」であるユーザインタフェースを提供し、当該ユーザインタフェースは、ユーザの操作入力画面を提供し、当該ユーザの操作入力画面を通じて、ユーザの出発階、目標階情報を入力することができる。
【００５９】
ユーザとスマート機器の間の具体的なインタラクションの実現方式は、ユーザの操作入力画面の実現方式と関連する。ユーザの操作入力画面の実現方式は、いろいろあり、対応的に、ユーザとスマート機器の間のインタラクションの実現方式もいろいろある。
【００６０】
例えば、図４Ａに示された本発明の１つの例示的な実施例に係るユーザの昇降機搭乗のインテリジェントガイド応用場面の模式図を参照すると、上記昇降機ナビゲーションのユーザインタフェースに操作ボタンを表示する方式を通じて、ユーザの操作入力画面を提供する。現在、大部分の携帯電話にはタッチスクリーンが取り付けられているため、ユーザインタフェースに表示される操作ボタンなどを通じて、ユーザの操作入力画面を提供することができ、ユーザは、タッチスクリーンで該当するボタンを直接クリックして出発階と目標階を設定することができる。
【００６１】
または、図４Ｂに示された本発明の１つの例示的な実施例に係るユーザの昇降機搭乗のインテリジェントガイド応用場面の模式図を参照すると、上記昇降機ナビゲーションのユーザインタフェースで音声入力をプロンプトする方式を通じて、ユーザの操作入力画面を提供する。具体的な実現方式は、昇降機ナビゲーションのユーザインタフェースに音声入力ボタンを提供してユーザの操作入力画面とすることができ、ユーザが音声入力ボタンをクリックすると、ユーザ端末のマイクなどの音声入力装置をオンにして、ユーザから入力された音声情報を受信することができる。例えば、ユーザは、ユーザ端末のマイクに対して、「１階から６階に」と話すことができ、これに応じて、室内ナビゲーションアプリケーションＡＰＰは、音声入力信号を識別して、出発階を１階に設定し、目標階を６階に設定することができる。
【００６２】
または、図４Ｃに示された本発明の１つの例示的な実施例に係るユーザの昇降機搭乗のインテリジェントガイド応用場面の模式図を参照すると、上記昇降機ナビゲーションのユーザインタフェースでテキスト入力をプロンプトする方式を通じて、ユーザの操作入力画面を提供する。具体的な実現方式は、昇降機ナビゲーションのユーザインタフェースに出発階テキスト入力ボックスと目標階テキスト入力ボックスを提供して、ユーザの操作入力画面とすることができる。ユーザは、ソフトキーボードを通じて、出発階テキストボックスに出発階、例えば１を入力し、目標階テキストボックスに目標階、例えば６を入力する。
【００６３】
ステップ１３において、上記ユーザの現在の位置情報、上記出発階と目標階に基づいて、目標昇降機に到達する経路情報を獲得する。
【００６４】
図５に示された本発明の１つの例示的な実施例に係る別のユーザの昇降機搭乗のインテリジェントガイド方法のフローチャートを参照すると、図１に示された実施例を基礎として、ステップ１３は、下記のステップを含んでもよい。
【００６５】
ステップ１３１において、上記出発階と目標階の差に基づいて、目標候補昇降機を確定する。
【００６６】
本発明の実施例において、図６に示された本発明の１つの例示的な実施例に係る別のユーザの昇降機搭乗のインテリジェントガイド方法のフローチャートを参照すると、図５に示された実施例を基礎として、ステップ１３１は、下記のステップを含んでもよい。
【００６７】
ステップ１３１１において、上記目標階と上記出発階の階差値を算出する。
【００６８】
ステップ１３１２において、上記階差値が予め設定された閾値より小さいか否かを判断し、そうである場合、ステップ１３１３を実行し、そうではない場合、ステップ１３１４を実行する。
【００６９】
ステップ１３１３において、エスカレータを上記目標候補昇降機とする。
【００７０】
ステップ１３１４において、エレベータを上記目標候補昇降機とする。
【００７１】
室内ナビゲーションアプリケーションＡＰＰのバックグラウンドアプリケーションプログラムにおいて、予め設定された閾値が３であると、対応する予め設定されたルールは、階差値が３より小さい場合、ユーザにエスカレータへの搭乗を推薦し、階差値が３以上である場合、ユーザにエレベータへの搭乗を推薦する。
【００７２】
例えば、ユーザ端末が獲得した出発階が６であり、目標階が４である場合、階差値が２ということが分かり、上記予め設定された閾値に対応する予め設定されたルールによると、２が３より小さいため、室内ナビゲーションアプリケーションＡＰＰは、ユーザがエスカレータに搭乗して目標階に到達するように推薦する。
【００７３】
また、例えば、ユーザ端末が獲得した出発階が１であり、目標階が６である場合、階差値が５ということが分かり、上記予め設定された閾値に対応する予め設定されたルールによると、５が３より大きいため、室内ナビゲーションアプリケーションＡＰＰは、ユーザがエレベータに搭乗して目標階に到達するように推薦する。上記エレベータは、客用エレベータ、または荷物用エレベータを含んでもよい。
【００７４】
ステップ１３２において、同一の階におけるすべての目標候補昇降機の位置情報を獲得する。
【００７５】
本発明において、図７に示された本発明の１つの例示的な実施例に係るユーザの昇降機搭乗のインテリジェントガイド応用場面の模式図を参照すると、上記の例に対応して、百貨店のＧＩＳデータベースからユーザが現在位置する階のすべてのエレベータの位置情報を獲得する。１つの階にエレベータが３台あり、昇降機識別子がＡ、Ｂ、Ｃであり、それぞれ第１の位置情報、第２の位置情報、第３の位置情報に対応すると仮定する。
【００７６】
ステップ１３３において、上記ユーザの現在の位置情報と上記すべての目標候補昇降機の位置情報に基づいて、最も近い目標候補昇降機に到達する経路情報を獲得する。
【００７７】
上記の例に対応して、ユーザが現在位置する位置が百貨店の入口Ｏであると仮定すると、ユーザが現在位置する入口の位置情報と上記第１の位置情報、第２の位置情報、第３の位置情報に基づいて、ＯＡ、ＯＢ、ＯＣの経路の長さをそれぞれ算出し、最も短い経路に対応する経路情報を上記経路情報とする。例えば、算出と比較を通じて、昇降機Ｂがユーザから最も近いということが分かり、昇降機Ｂに到達する経路情報を獲得する。
【００７８】
同じように、上記目標候補昇降機がエスカレータである場合、現在の階のすべてのエスカレータの位置情報を獲得し、ユーザから最も近いエスカレータを算出し、最も近いエスカレータに到達する対応する経路情報を生成する。エスカレータについて、ユーザから最も近いエスカレータの算出は、同一の階の昇降機の入口からユーザまでの距離を考慮するだけではなく、ユーザがどの昇降機に搭乗することが最も便利であるかの角度からも考慮してエスカレータを選択しなければならない。例えば、ユーザの出発階が６階であり、目標階が４階である場合、百貨店のＧＩＳ情報に基づいて、６階のすべてのエスカレータの位置情報を獲得するとともに、６階から４階まで直行するエスカレータがあるか否かを判断し、ある場合、優先的に直行昇降機を目標エスカレータとして選択する。６階から４階まで直行するエスカレータがない場合、各エスカレータからユーザまでの距離の遠さに基づいて、最も近いエスカレータを目標エスカレータとして選択する。
【００７９】
ステップ１４において、上記経路情報に基づいて、上記ユーザの目標昇降機への搭乗をガイドする。
【００８０】
本発明において、ＧＩＳは、大型建物の３次元の視覚模型を提供することができ、依然として大型百貨店を例とすると、上記経路情報は、百貨店の３次元の視覚模型に直感的に表示されることができ、経路の長さだけではなく、方向、沿道の店情報などをさらに含んでもよい。関連技術における自動車ナビゲーションのように、室内ナビゲーションアプリケーションＡＰＰは、ユーザの現在位置をリアルタイムに直感的に表示するだけではなく、ユーザがどの経路に沿って目標エレベータに到達するべきであるかもリアルタイムにプロンプトすることができる。例えば、幾つかの通路の交叉点に経路を表示するとともに、音声で、「左に曲がって３０メートル直進した後、右に曲がって昇降機Ｂに到達します」とプロンプトする。
【００８１】
まとめると、本発明に係るユーザの昇降機搭乗のインテリジェントガイド方法は、大型建物のＧＩＳデータベースを用いて、ユーザに昇降機情報を自動的に推薦し、目標昇降機に到達する経路情報を生成し、当該経路情報に基づいて、ユーザが目標昇降機に到達するようにガイドすることによって、迅速、且つインテリジェントにユーザにナビゲーションサービスを提供することができ、ユーザが大型建物で昇降機を探し回る不便さを避け、ユーザの時間を節約し、ユーザ体験を向上させる。
【００８２】
本発明において、目標候補昇降機がエスカレータである場合、エスカレータの運行方向がＧＩＳデータベースに記録されている運行方向と反対になっているか、または、互いに隣接する二つのエスカレータの運行方向が同じであって、ユーザ端末がユーザに提供した経路情報が間違う可能性がある。
【００８３】
上記の状況に対して、図８に示された本発明の１つの例示的な実施例に係る別のユーザの昇降機搭乗のインテリジェントガイド方法のフローチャートを参照すると、図１に示された実施例を基礎として、下記のステップをさらに含んでもよい。
【００８４】
ステップ１５において、目標候補昇降機がエスカレータである場合、ユーザが上記目標エスカレータに搭乗したか否かを判断する。
【００８５】
本発明において、下記の何れかの方式を採用して、ユーザが目標エスカレータに搭乗したか否かを判断することができる。
【００８６】
第１の方式：監視ビデオに基づいて、上記ユーザが目標エスカレータに搭乗したか否かを判断する。
【００８７】
例えば、百貨店サーバが獲得した監視ビデオデータを獲得し、ビデオ監視システムにより撮影された目標エスカレータが位置する箇所の監視ビデオ画面から、ユーザが約束どおりに目標エスカレータに搭乗したか否かを判断する。
【００８８】
第２の方式：ユーザに問い合わせる方式を通じて、上記ユーザが目標エスカレータに搭乗したか否かを判断する。
【００８９】
例えば、室内ナビゲーションシステムは、ユーザが目標エスカレータの位置に到達したことを検出した後、第２のユーザインタフェースを提供し、ダイアログボックス、選択ボタン、または音声プロンプトなどの方式で、ユーザに昇降機の運行方向が合っているか否かを問い合わせる。
【００９０】
ステップ１６において、上記ユーザが上記目標エスカレータに搭乗しなかった場合、第２のエスカレータを確定する。
【００９１】
上記第１の方式に対応して、ビデオ監視画面からユーザが目標昇降機に搭乗しなかったことを見つけると、例えば、ビデオ監視画面から、ユーザが目標エスカレータの位置する箇所に到達した後に突然経路を変更したことを見つけると、今回確定したエスカレータの方向が間違っていると判断し、ユーザのために新しい目標エスカレータ、即ち第２のエスカレータを新たに選択する。
【００９２】
上記第２の方式に対応して、上記問い合わせに対するユーザのフィードバック情報を受信する。例えば、ユーザが２階から３階に行くエスカレータを希望したのに対し、現在推薦してもらった目標エスカレータの運行方向が３階から２回に行く方向であることが分かった場合、上記第２のユーザインタフェースのユーザの操作入力画面を通じて、否定情報を入力する。目標昇降機の運行方向とユーザが希望した運行方向が反対になっていると確定すると、ユーザのために新しい目標エスカレータ、即ち第２のエスカレータを新たに選択する。
【００９３】
ステップ１７において、上記第２のエスカレータに到達する経路情報を獲得する。
【００９４】
ユーザの現在の位置情報と第２のエスカレータの位置情報に基づいて、第２のエスカレータに到達する経路情報を確定する。
【００９５】
ステップ１８において、上記第２の経路情報に基づいて、上記ユーザの上記第２のエスカレータへの搭乗をガイドする。
【００９６】
本発明において、目標昇降機がエスカレータである場合、ユーザが目標昇降機に到達するようにガイドした後、ユーザが目標エスカレータに搭乗したか否かを判断するステップを追加し、ユーザが約束どおりに目標エスカレータに搭乗しなかった場合、現在の目標昇降機の運行方向が間違っていると確定し、新たに第２のエスカレータを確定し、該当する経路情報を生成し、ユーザが第２の目標エスカレータに順調に搭乗するようにガイドする。
【００９７】
上記の各方法の実施例に対して、記述の簡便性のために、いずれも一連の動作の組合せとして記述したが、本発明によると、一部のステップが別の順番で実行されるか、または同時に実行されてもよいため、当業者は、本発明が記述された動作順番に限定されないことを理解すべきである。
【００９８】
また、当業者は、明細書において記述された実施例がいずれも選択可能な実施例であり、言及された動作とモジュールが本発明の必ずしも必要なものではないことも理解すべきである。
【００９９】
上記アプリケーション機能の実現方法の実施例に対応して、本発明は、アプリケーション機能の実現装置、及び該当する端末の実施例をさらに提供する。
【０１００】
上記本発明のユーザの昇降機搭乗のインテリジェントガイド方法の実施例に対応して、ユーザの昇降機搭乗のインテリジェントガイド装置の実施例をさらに提供する。下記に図面と合わせて具体的に説明する。
【０１０１】
図９を参照すると、本発明の１つの例示的な実施例に係るユーザの昇降機搭乗のインテリジェントガイド装置のブロック図であり、
ユーザの現在の位置情報を確定するように構成される位置確定モジュール２１と、
ユーザの出発階と目標階を獲得するように構成される階確定モジュール２２と、
上記ユーザの現在の位置情報、上記出発階と目標階に基づいて、目標昇降機に到達する経路情報を獲得するように構成される第１の経路確定モジュール２３と、
上記経路情報に基づいて、上記ユーザの目標昇降機への搭乗をガイドするように構成される第１のガイドモジュール２４と、を含む。
【０１０２】
図１０に示された本発明の１つの例示的な実施例に係る別のユーザの昇降機搭乗のインテリジェントガイド装置のブロック図を参照すると、図９に示された実施例を基礎として、位置確定モジュール２１は、
グローバル・ポジショニング・システムを通じて、上記ユーザの現在の位置情報を確定するように構成される第１の確定サブモジュール２１１と、
移動測位技術を通じて、上記ユーザの現在の位置情報を確定するように構成される第２の確定サブモジュール２１２と、
室内測位技術を通じて、上記ユーザの現在の位置情報を確定するように構成される第３の確定サブモジュール２１３と、を含んでもよい。
【０１０３】
図１１に示された本発明の１つの例示的な実施例に係る別のユーザの昇降機搭乗のインテリジェントガイド装置のブロック図を参照すると、図９に示された実施例を基礎として、階確定モジュール２２は、
室内ナビゲーションアプリケーションＡＰＰを作動させるように構成される作動サブモジュール２２１と、
上記室内ナビゲーションアプリケーションＡＰＰを通じて、ユーザから入力された出発階と目標階を受信するように構成される受信サブモジュール２２２と、を含んでもよい。
【０１０４】
図１２に示された本発明の１つの例示的な実施例に係る別のユーザの昇降機搭乗のインテリジェントガイド装置のブロック図を参照すると、図１１に示された実施例を基礎として、作動サブモジュール２２１は、
ユーザから入力された室内ナビゲーションアプリケーションＡＰＰを作動させるための操作指令に応答して、上記室内ナビゲーションアプリケーションＡＰＰを作動させるように構成される第１の作動ユニット２２１１、または、
上記ユーザの現在の位置情報が予め設定された地理範囲内にあると検出される場合、室内ナビゲーションアプリケーションＡＰＰを作動させるように構成される第２の作動ユニット２２１２を含んでもよい。
【０１０５】
図１３に示された本発明の１つの例示的な実施例に係るユーザの昇降機搭乗のインテリジェントガイド装置のブロック図を参照すると、図９に示された実施例を基礎として、第１の経路確定モジュール２３は、
上記出発階と目標階の差に基づいて、目標候補昇降機を確定するように構成される昇降機候補確定サブモジュール２３１と、
同一の階におけるすべての目標候補昇降機の位置情報を獲得するように構成される位置統計サブモジュール２３２と、
上記ユーザの現在の位置情報と上記すべての目標候補昇降機の位置情報に基づいて、最も近い目標候補昇降機に到達する経路情報を獲得するように構成される経路企画サブモジュール２３３と、を含んでもよい。
【０１０６】
図１４に示された本発明の１つの例示的な実施例に係るユーザの昇降機搭乗のインテリジェントガイド装置のブロック図を参照すると、図１３に示された実施例を基礎として、昇降機候補確定サブモジュール２３１は、
上記目標階と上記出発階の階差値を算出するように構成される算出ユニット２３１１と、
上記階差値が予め設定された閾値より小さいか否かを判断するように構成される判断ユニット２３１２と、
上記階差値が予め設定された閾値より小さい場合、エスカレータを上記目標候補昇降機とするように構成される第１の候補確定ユニット２３１３と、
上記階差値が上記予め設定された閾値以上である場合、エレベータを上記目標候補昇降機とするように構成される第２の候補確定ユニット２３１４と、を含んでもよい。
【０１０７】
図１５に示された本発明の１つの例示的な実施例に係るユーザの昇降機搭乗のインテリジェントガイド装置のブロック図を参照すると、図９に示された実施例を基礎として、上記装置は、
目標候補昇降機がエスカレータである場合、ユーザが目標エスカレータに搭乗したか否かを判断するように構成される搭乗判断モジュール２５と、
上記ユーザが上記目標エスカレータに搭乗しなかった場合、第２のエスカレータを確定するように構成される昇降機確定モジュール２６と、
上記第２のエスカレータに到達する第２の経路情報を獲得するように構成される第２の経路確定モジュール２７と、
上記第２の経路情報に基づいて、上記ユーザの上記第２のエスカレータへの搭乗をガイドするように構成される第２のガイドモジュール２８と、をさらに含んでもよい。
【０１０８】
図１６に示された本発明の１つの例示的な実施例に係るユーザの昇降機搭乗のインテリジェントガイド装置のブロック図を参照すると、図１５に示された実施例を基礎として、搭乗判断モジュール２５は、
監視ビデオに基づいて、上記ユーザが目標エスカレータに搭乗したか否かを判断するように構成される第１の判断サブモジュール２５１、または、
ユーザ問い問い合わせる方式を通じて、上記ユーザが目標エスカレータに搭乗したか否かを判断するように構成される第２の判断サブモジュール２５２を含んでもよい。
【０１０９】
上記装置の各ユニットの機能と作用の実現過程の細部は、上記方法の対応するステップの実現過程を参照すればよく、ここで説明を省略する。
【０１１０】
装置の実施例において、基本的に方法の実施例に対応するため、関連する部分については、方法の実施例の部分の説明を参照すればよい。以上で記述した装置の実施例は、ただ例示的なものであり、そのうち、分離部品として説明された上記モジュールは、物理的に分離されているものであってもよく、そうではなくてもよく、モジュールとして示された部品は、物理的なモジュールであってもよく、そうではなくてもよい。即ち、同一の場所に位置していてもよく、または複数のネットワークモジュールに分布されていてもよい。実際の必要によって、そのうちの一部又は全部のモジュールを選択して本発明に係る態様の目的を実現することができる。当業者は、創造性の労働を行わなくても、理解及び実施することができる。
【０１１１】
また、本発明は、ユーザの昇降機搭乗のインテリジェントガイド装置をさらに提供し、
プロセッサと、
上記プロセッサにより実行可能な命令を記憶するためのメモリと、を含み、
上記プロセッサは、
ユーザの現在の位置情報を確定し、
ユーザの出発階と目標階を獲得し、
上記ユーザの現在の位置情報、上記出発階と目標階に基づいて、目標昇降機に到達する経路情報を獲得し、
上記経路情報に基づいて、上記ユーザの目標昇降機への搭乗をガイドするように構成される。
【０１１２】
図１７は、１つの例示的な実施例に係るユーザの昇降機搭乗のインテリジェントガイドための装置１７００の構成の模式図である。例えば、装置１７００は、スマートフォン、ＰＤＡ、スマートブレスレットなどのスマート端末のようなユーザ端末として提供されることができる。
【０１１３】
図１７を参照すると、装置１７００は、プロセスアセンブリ１７０２、メモリ１７０４、電源アセンブリ１７０６、マルチメディアアセンブリ１７０８、オーディオアセンブリ１７１０、入出力（Ｉ／Ｏ）インタフェース１７１２、センサアセンブリ１７１４、及び通信アセンブリ１７１６のような１つ或いは複数のアセンブリを含んでもよい。
【０１１４】
プロセスアセンブリ１７０２は、一般的には装置１７００の全体の動作を制御するものであり、例えば、表示、電話呼び出し、データ通信、カメラ動作、及び記録動作と関連する動作を制御する。プロセスアセンブリ１７０２は、１つ以上のプロセッサ１７２０を含み、これらによって命令を実行することにより、上記の方法の全部、或は一部のステップを実現するようにしてもよい。なお、プロセスアセンブリ１７０２は、１つ以上のモジュールを含んでプロセスアセンブリ１７０２と他のアセンブリの間のインタラクションを容易にしてもよい。例えば、プロセスアセンブリ１７０２は、マルチメディアモジュールを含んでマルチメディアアセンブリ１７０８とプロセスアセンブリ１７０２の間のインタラクションを容易にしてもよい。
【０１１５】
メモリ１７０４は、各種類のデータを記憶することにより装置１７００の動作を支援するように構成される。これらのデータの例は、装置１７００において動作されるいずれのアプリケーションプログラム又は方法の命令、連絡対象データ、電話帳データ、メッセージ、画像、ビデオ等を含む。メモリ１７０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１１６】
電源アセンブリ１７０６は、装置１７００の各アセンブリに電力を供給する。電源アセンブリ１７０６は、電源管理システム、１つ或いは複数の電源、及び装置１７００のための電力の生成、管理、及び割り当てに関連する他のアセンブリを含んでもよい。
【０１１７】
マルチメディアアセンブリ１７０８は、上記装置１７００とユーザの間に１つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、１つ以上のタッチセンサを含み、タッチ、スライド、及びタッチパネル上のジェスチャを検出することができる。上記タッチセンサは、タッチ、或はスライド操作の境界だけでなく、上記タッチ、或はスライド操作に係る継続時間、及び圧力も検出できる。部分実施例において、マルチメディアアセンブリ１７０８は、１つのフロントカメラ、及び／又はリアカメラを含む。装置１７００が、例えば撮影モード、或はビデオモード等の動作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【０１１８】
オーディオアセンブリ１７１０は、オーディオ信号を入出力するように構成される。例えば、オーディオアセンブリ１７１０は、１つのマイク（ＭＩＣ）を含み、装置１７００が、例えば呼出しモード、記録モード、及び音声認識モード等の動作モードにある場合、マイクは外部のオーディオ信号を受信することができる。受信されたオーディオ信号は、さらにメモリ１７０４に記憶されたり、通信アセンブリ１７１６を介して送信されたりする。部分実施例において、オーディオアセンブリ１７１０は、オーディオ信号を出力するための１つのスピーカーをさらに含む。
【０１１９】
Ｉ／Ｏインタフェース１７１２は、プロセスアセンブリ１７０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１２０】
センサアセンブリ１７１４は、装置１７００に各方面の状態に対する評価を提供するための１つ以上のセンサを含む。例えば、センサアセンブリ１７１４は、装置１７００のＯＮ／ＯＦＦ状態、装置１７００のディスプレイとキーパッドのようなアセンブリの相対的な位置決めを検出できる。また、センサアセンブリ１７１４は、装置１７００、或いは装置１７００の１つのアセンブリの位置変更、ユーザと装置１７００とが接触しているか否か、装置１７００の方位、又は加速／減速、装置１７００の温度の変化を検出できる。センサアセンブリ１７１４は、何れの物理的接触がない状態にて付近の物体の存在を検出するための近接センサを含んでもよい。センサアセンブリ１７１４は、撮影アプリケーションに適用するため、ＣＭＯＳ、又はＣＣＤ画像センサのような光センサを含んでもよい。部分実施例において、当該センサアセンブリ１７１４は、加速度センサ、ジャイロスコープセンサ、磁気センサ、圧力センサ、及び温度センサをさらに含んでもよい。
【０１２１】
通信アセンブリ１７１６は、装置１７００と他の機器の間に有線、又は無線形態の通信を提供する。装置１７００は、例えばＷｉＦｉ、２Ｇ、３Ｇ、或はこれらの組み合わせのような、通信規格に基づいた無線ネットワークに接続されてもよい。１つの例示的な実施例において、通信アセンブリ１７１６は、放送チャンネルを介して外部の放送管理システムからの放送信号、又は放送に関連する情報を受信する。１つの例示的な実施例において、上記通信アセンブリ１７１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０１２２】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１２３】
本発明は、上記で記述し、図面で図示した特定の構成に限定されず、その範囲を離脱しない状況で、様様な修正と変更を実現できる。本発明の範囲は、添付される特許請求の範囲のみにより限定される。
【０１２４】
本願は、出願番号がＣＮ２０１５１０７１７７４２．０であって、出願日が２０１５年１０月２９日である中国特許出願に基づき優先権を主張し、当該中国特許出願のすべての内容を本願に援用する。
【図１】
2018504613.tif 000003
【図２】
2018504613.tif 000004
【図３】
2018504613.tif 000005
【図４Ａ】
2018504613.tif 000006
【図４Ｂ】
2018504613.tif 000007
【図４Ｃ】
2018504613.tif 000008
【図５】
2018504613.tif 000009
【図６】
2018504613.tif 000010
【図７】
2018504613.tif 000011
【図８】
2018504613.tif 000012
【図９】
2018504613.tif 000013
【図１０】
2018504613.tif 000014
【図１１】
2018504613.tif 000015
【図１２】
2018504613.tif 000016
【図１３】
2018504613.tif 000017
【図１４】
2018504613.tif 000018
【図１５】
2018504613.tif 000019
【図１６】
2018504613.tif 000020
【図１７】
2018504613.tif 000021
【手続補正書】
【提出日】平成28年3月16日(2016.3.16)
【手続補正１】
【補正対象書類名】明細書
【補正対象項目名】全文
【補正方法】変更
【補正の内容】
【発明の詳細な説明】
【技術分野】
【０００１】
本発明は、コンピュータ通信技術分野に関するものであり、特に、ユーザの昇降機(エレベータとエスカレータを含む)搭乗のインテリジェントガイド方法、装置、プログラム及び記録媒体に関するものである。
【背景技術】
【０００２】
コンピュータ技術の目覚ましい発展と普及にしたがい、地理情報システム（Ｇｅｏｇｒａｐｈｙ Ｉｎｆｏｒｍａｔｉｏｎ Ｓｙｓｔｅｍ，ＧＩＳ）およびその基礎の上で発展した「デジタル地球」、「デジタル都市」、「デジタルビル」は、人々の生産と生活において徐々に重要な効果をもたらしている。
【０００３】
現在、ＧＩＳ分野では、室内ナビゲーションのアプリケーションが飛躍的な発展を遂げている。室内ナビゲーションは、大型建物内に身を置く人々、例えば大型百貨店の消費者に、正確な測位機能を利用して自らの位置を確定し、行きたい場所を探し出すことができるようにする。すなわち、消費者は、室内ナビゲーションを使用して、大型建物の昇降機、トイレ、指定の店などの指定場所を簡単に探し出すことができる。
【発明の概要】
【０００４】
このような点から考えて、本発明は、昇降機搭乗のインテリジェントガイド方法、装置、プログラム及び記録媒体を提供して、関連技術において、人々が大型建物で昇降機を探し難い問題を解決する。
【０００５】
本発明の実施例の第１の態様によると、ユーザの昇降機搭乗のインテリジェントガイド方法を提供し、上記方法は、
ユーザの現在の位置情報を確定するステップと、
ユーザの出発階と目標階を獲得するステップと、
前記ユーザの現在の位置情報、前記出発階と目標階に基づいて、目標昇降機に到達する経路情報を獲得するステップと、
前記経路情報に基づいて、前記ユーザの前記目標昇降機への搭乗をガイドするステップと、を含む。
【０００６】
選択的に、グローバル・ポジショニング・システムを通じて、前記ユーザの現在の位置情報を確定する方式と、
移動測位技術を通じて、前記ユーザの現在の位置情報を確定する方式と、
室内測位技術を通じて、前記ユーザの現在の位置情報を確定する方式のうちの何れかの方式を採用して、前記ユーザの現在の位置情報を確定する。
【０００７】
選択的に、前記ユーザが搭乗する昇降機の出発階と目標階を獲得するステップは、
室内ナビゲーションアプリケーションＡＰＰを作動させるステップと、
前記室内ナビゲーションアプリケーションＡＰＰを通じて、前記ユーザから入力された出発階と目標階を受信するステップと、を含む。
【０００８】
選択的に、前記ユーザから入力された室内ナビゲーションアプリケーションＡＰＰを作動させるための操作指令に応答して、前記室内ナビゲーションアプリケーションＡＰＰを作動させる方式、または、
前記ユーザの現在の位置情報が予め設定された地理範囲内にあると検出される場合、前記室内ナビゲーションアプリケーションＡＰＰを作動させる方式のうちの何れかの方式を採用して、前記室内ナビゲーションアプリケーションＡＰＰを作動させる。
【０００９】
選択的に、前記ユーザの現在の位置情報、前記出発階と目標階に基づいて、前記目標昇降機に到達する経路情報を獲得するステップは、
前記出発階と目標階の差に基づいて、目標候補昇降機を確定するステップと、
同一の階におけるすべての目標候補昇降機の位置情報を獲得するステップと、
前記ユーザの現在の位置情報と前記すべての目標候補昇降機の位置情報に基づいて、最も近い目標候補昇降機に到達する経路情報を獲得するステップと、を含む。
【００１０】
選択的に、前記出発階と目標階の差に基づいて、前記目標候補昇降機を確定するステップは、
前記目標階と前記出発階の階差値を算出するステップと、
前記階差値が予め設定された閾値より小さいか否かを判断するステップと、
前記階差値が予め設定された閾値より小さい場合、エスカレータを前記目標候補昇降機とするステップと、
前記階差値が前記予め設定された閾値以上である場合、エレベータを前記目標候補昇降機とするステップと、を含む。
【００１１】
選択的に、前記方法は、
前記目標候補昇降機がエスカレータである場合、前記ユーザが目標エスカレータに搭乗したか否かを判断するステップと、
前記ユーザが前記目標エスカレータに搭乗しなかった場合、第２のエスカレータを確定するステップと、
前記第２のエスカレータに到達する第２の経路情報を獲得するステップと、
前記第２の経路情報に基づいて、前記ユーザの前記第２のエスカレータへの搭乗をガイドするステップと、をさらに含む。
【００１２】
選択的に、前記ユーザが前記目標エスカレータに搭乗したか否かを判断するステップは、
監視ビデオに基づいて、前記ユーザが前記目標エスカレータに搭乗したか否かを判断するステップ、または、
前記ユーザに問い合わせる方式を通じて、前記ユーザが前記目標エスカレータに搭乗したか否かを判断するステップを含む。
【００１３】
本発明の実施例の第２の態様によると、ユーザの昇降機搭乗のインテリジェントガイド装置を提供し、上記装置は、
ユーザの現在の位置情報を確定するように構成される位置確定モジュールと、
ユーザの出発階と目標階を獲得するように構成される階確定モジュールと、
前記ユーザの現在の位置情報、前記出発階と目標階に基づいて、目標昇降機に到達する経路情報を獲得するように構成される第１の経路確定モジュールと、
前記経路情報に基づいて、前記ユーザの前記目標昇降機への搭乗をガイドするように構成される第１のガイドモジュールと、を含む。
【００１４】
選択的に、前記位置確定モジュールは、
グローバル・ポジショニング・システムを通じて、前記ユーザの現在の位置情報を確定するように構成される第１の確定サブモジュールと、
移動測位技術を通じて、前記ユーザの現在の位置情報を確定するように構成される第２の確定サブモジュールと、
室内測位技術を通じて、前記ユーザの現在の位置情報を確定するように構成される第３の確定サブモジュールと、を含む。
【００１５】
選択的に、前記階確定モジュールは、
室内ナビゲーションアプリケーションＡＰＰを作動させるように構成される作動サブモジュールと、
前記室内ナビゲーションアプリケーションＡＰＰを通じて、前記ユーザから入力された出発階と目標階を受信するように構成される受信サブモジュールと、を含む。
【００１６】
選択的に、前記作動サブモジュールは、
前記ユーザから入力された室内ナビゲーションアプリケーションＡＰＰを作動させるための操作指令に応答して、前記室内ナビゲーションアプリケーションＡＰＰを作動させるように構成される第１の作動ユニット、または、
前記ユーザの現在の位置情報が予め設定された地理範囲内にあると検出される場合、室内ナビゲーションアプリケーションＡＰＰを作動させるように構成される第２の作動ユニットを含む。
【００１７】
選択的に、前記第１の経路確定モジュールは、
前記出発階と目標階の差に基づいて、目標候補昇降機を確定するように構成される昇降機候補確定サブモジュールと、
同一の階におけるすべての目標候補昇降機の位置情報を獲得するように構成される位置統計サブモジュールと、
前記ユーザの現在の位置情報と前記すべての目標候補昇降機の位置情報に基づいて、最も近い目標候補昇降機に到達する経路情報を獲得するように構成される経路企画サブモジュールと、を含む。
【００１８】
選択的に、前記昇降機候補確定サブモジュールは、
前記目標階と前記出発階の階差値を算出するように構成される算出ユニットと、
前記階差値が予め設定された閾値より小さいか否かを判断するように構成される判断ユニットと、
前記階差値が予め設定された閾値より小さい場合、エスカレータを前記目標候補昇降機とするように構成される第１の候補確定ユニットと、
前記階差値が前記予め設定された閾値以上である場合、エレベータを前記目標候補昇降機とするように構成される第２の候補確定ユニットと、を含む。
【００１９】
選択的に、前記装置は、
前記目標候補昇降機がエスカレータである場合、前記ユーザが目標エスカレータに搭乗したか否かを判断するように構成される搭乗判断モジュールと、
前記ユーザが前記目標エスカレータに搭乗しなかった場合、第２のエスカレータを確定するように構成される昇降機確定モジュールと、
前記第２のエスカレータに到達する第２の経路情報を獲得するように構成される第２の経路確定モジュールと、
前記第２の経路情報に基づいて、前記ユーザの前記第２のエスカレータへの搭乗をガイドするように構成される第２のガイドモジュールと、をさらに含む。
【００２０】
選択的に、前記搭乗判断モジュールは、
監視ビデオに基づいて、前記ユーザが前記目標エスカレータに搭乗したか否かを判断するように構成される第１の判断サブモジュール、または、
ユーザに問い合わせる方式を通じて、前記ユーザが前記目標エスカレータに搭乗したか否かを判断するように構成される第２の判断サブモジュールを含む。
【００２１】
本発明の実施例の第３の態様によると、ユーザの昇降機搭乗のインテリジェントガイド装置を提供し、上記装置は、
プロセッサと、
前記プロセッサにより実行可能な命令を記憶するためのメモリと、を含み、
前記プロセッサは、
ユーザの現在の位置情報を確定し、
ユーザの出発階と目標階を獲得し、
前記ユーザの現在の位置情報、前記出発階と目標階に基づいて、目標昇降機に到達する経路情報を獲得し、
前記経路情報に基づいて、前記ユーザの目標昇降機への搭乗をガイドするように構成される。
本発明の実施例の第４の態様によると、プロセッサに実行されることにより、前記ユーザの昇降機搭乗のインテリジェントガイド方法を実現することを特徴とするプログラムを提供する。
本発明の実施例の第５の態様によると、前記プログラムが記録された記録媒体を提供する。
【００２２】
本発明の実施例に係る態様によれば、下記の有益な効果が得られる。
【００２３】
本発明において、ユーザ端末は、大型建物のＧＩＳデータベースを用いて、自動的にユーザに昇降機情報を推薦し、目標昇降機に到達する経路情報を生成し、当該経路情報に基づいて、ユーザが目標昇降機に到達するようにガイドすることによって、迅速、且つインテリジェントにユーザにナビゲーションサービスを提供することができ、ユーザが大型建物で昇降機を探し回る不便さを避け、ユーザの時間を節約し、ユーザ体験を向上させる。
【００２４】
本発明において、グローバル・ポジショニング・システム、移動測位技術、室内測位技術を用いて、ユーザの現在の位置情報を確定することによって、ユーザ位置の正確性を確保して、ユーザに目標昇降機を正確に推薦することができる。
【００２５】
本発明において、室内ナビゲーションアプリケーションＡＰＰを作動させた後、室内ナビゲーションアプリケーションＡＰＰが提供するユーザインタフェースで、ユーザから入力された出発階と目標階情報を受信することによって、より正確な階情報を獲得することができる。
【００２６】
本発明において、ユーザ端末は、ユーザが指定の大型建物に入ったと検出されると、自動的に室内ナビゲーションアプリケーションＡＰＰをオンにし、当該場所のＧＩＳデータをアップロードして、昇降機推薦モードをインテリジェントに作動させる。ユーザは、室内ナビゲーションアプリケーションＡＰＰを手動でオンにして、ユーザ端末が昇降機推薦サービスを提供するように要求することもでき、使用に便利である。
【００２７】
本発明において、ユーザ端末は、ユーザの現在の位置情報、出発階と目標階に基づいて、ユーザのために最も便利な昇降機をインテリジェントに選択し、該当する経路情報を生成することによって、ユーザが最も近い経路に沿って昇降機に搭乗するようにし、ユーザが昇降機を探す時間を節約することができる。
【００２８】
本発明において、出発階と目標階情報を獲得した後、両者の差を算出し、両者の差が比較的大きい場合、ユーザにエレベータを推薦し、両者の差が比較的小さい場合、ユーザにエスカレータを推薦することによって、昇降機資源の利用を合理的に企画する。
【００２９】
本発明において、ユーザが目標エスカレータに到達した後、ユーザが約束どおりに目標エスカレータに搭乗したか否かを判断し、エスカレータの運行方向がユーザの希望に合わない場合、ユーザのために自動的に第２のエスカレータの経路情報を企画することによって、ユーザがエスカレータの運行方向が間違っていることが分かった時に、最も近い正確な昇降機に迅速に到達できるようにする。
【００３０】
本発明において、監視ビデオを用いて、ユーザが目標昇降機に搭乗したか否かを判断してもよく、ユーザが目標昇降機に到達したときにユーザインタフェースを提供して、ユーザに目標昇降機に搭乗したか否かを問い合わせてもよいため、ユーザが目標昇降機に搭乗したか否かを正確に判断することができる。
【００３１】
以上の一般的な記述と、以下の詳細の記述は、ただ例示的なものであって、本発明を限定するものではないことを理解すべきである。
【図面の簡単な説明】
【００３２】
以下の図面は、明細書に組み込まれて本明細書の一部分を構成し、本発明に係る実施例を例示するとともに、明細書とともに本発明の原理を解釈するために用いられる。
【図１】図１は、本発明の１つの例示的な実施例に係るユーザの昇降機搭乗のインテリジェントガイド方法のフローチャートである。
【図２】図２は、本発明の１つの例示的な実施例に係る別のユーザの昇降機搭乗のインテリジェントガイド方法のフローチャートである。
【図３】図３は、本発明の１つの例示的な実施例に係るユーザの昇降機搭乗のインテリジェントガイド応用場面の模式図である。
【図４Ａ】図４Ａは、本発明の１つの例示的な実施例に係るユーザの昇降機搭乗のインテリジェントガイド応用場面の模式図である。
【図４Ｂ】図４Ｂは、本発明の１つの例示的な実施例に係る別のユーザの昇降機搭乗のインテリジェントガイド応用場面の模式図である。
【図４Ｃ】図４Ｃは、本発明の１つの例示的な実施例に係る別のユーザの昇降機搭乗のインテリジェントガイド応用場面の模式図である。
【図５】図５は、本発明の１つの例示的な実施例に係る別のユーザの昇降機搭乗のインテリジェントガイド方法のフローチャートである。
【図６】図６は、本発明の１つの例示的な実施例に係る別のユーザの昇降機搭乗のインテリジェントガイド方法のフローチャートである。
【図７】図７は、本発明の１つの例示的な実施例に係るユーザの昇降機搭乗のインテリジェントガイド応用場面の模式図である。
【図８】図８は、本発明の１つの例示的な実施例に係る別のユーザの昇降機搭乗のインテリジェントガイド方法のフローチャートである。
【図９】図９は、本発明の１つの例示的な実施例に係るユーザの昇降機搭乗のインテリジェントガイド装置のブロック図である。
【図１０】図１０は、本発明の１つの例示的な実施例に係る別のユーザの昇降機搭乗のインテリジェントガイド装置のブロック図である。
【図１１】図１１は、本発明の１つの例示的な実施例に係る別のユーザの昇降機搭乗のインテリジェントガイド装置のブロック図である。
【図１２】図１２は、本発明の１つの例示的な実施例に係る別のユーザの昇降機搭乗のインテリジェントガイド装置のブロック図である。
【図１３】図１３は、本発明の１つの例示的な実施例に係る別のユーザの昇降機搭乗のインテリジェントガイド装置のブロック図である。
【図１４】図１４は、本発明の１つの例示的な実施例に係る別のユーザの昇降機搭乗のインテリジェントガイド装置のブロック図である。
【図１５】図１５は、本発明の１つの例示的な実施例に係る別のユーザの昇降機搭乗のインテリジェントガイド装置のブロック図である。
【図１６】図１６は、本発明の１つの例示的な実施例に係る別のユーザの昇降機搭乗のインテリジェントガイド装置のブロック図である。
【図１７】図１７は、本発明の１つの例示的な実施例に係るユーザの昇降機搭乗のインテリジェントガイド用の装置の構成の模式図である。
【発明を実施するための形態】
【００３３】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００３４】
本発明で使用される用語は特定の実施例を表現する目的でのみ用いられており、本発明を限定するものではない。本発明と添付された特許請求の範囲において使用された単数形式の「一種」、「上記」、および「当該」も、上下の文がその他の意味を明確に示す場合を除き、複数の形式を含むものである。さらに理解するべきことは、本文中で使用される「及び／又は」は一又は複数の関連する列挙項目のいずれか又はすべての可能な組合せを含む。
【００３５】
理解が必要なことは、本発明において第１、第２、第３などの用語を採用して各種情報を表現しているかもしれないが、これらの情報はこれらの用語に限定されない。これらの用語は、同一類型の情報を互いに区別するためだけに用いられる。例えば、本発明の範囲を超えない状況の下、第１の情報は第２の情報ということもでき、同様に、第２の情報を第１の情報ということもできる。言葉環境によって、例えば、ここで使用している単語「もし」は、「…であるとき」、「…である際」又は「確定に応じて」に解釈してもよい。
【００３６】
理解の利便性のために、まず説明すべきなことは、本発明の実施例において、ユーザの端末で実行される室内ナビゲーションアプリケーションＡＰＰを提供して、ユーザが自分の移動端末機器に当該ＡＰＰをインストールすることができる。これに対応して、アプリケーションサーバは、室内地図データを提供して、ユーザ端末の室内ナビゲーションアプリケーションＡＰＰとのインタラクションを実現することができ、ユーザ端末を通じて、ユーザの昇降機への搭乗をガイドする機能を実現する。
【００３７】
図１は、本発明の１つの例示的な実施例に係るユーザの昇降機搭乗のインテリジェントガイド方法のフローチャートであり、下記のステップを含む。
【００３８】
ステップ１１において、ユーザの現在の位置情報を確定する。
【００３９】
本発明においては、経緯度、海抜高度でユーザの現在位置を示してもよく、ある参照物に対する方向と距離でユーザの現在の位置情報を示してもよい。
【００４０】
ユーザ端末を携えたユーザが大型建物、例えば大型百貨店にいる場合、ユーザ端末は、下記の何れかの方式を採用してユーザの現在の位置情報を確定することができる。
【００４１】
第１の方式：グローバル・ポジショニング・システムを通じて、上記ユーザの現在の位置情報を確定する。
【００４２】
ＧＰＳ（Ｇｌｏｂａｌ Ｐｏｓｉｔｉｏｎｉｎｇ Ｓｙｓｔｅｍ，グローバル・ポジショニング・システム）は、衛星に基づくナビゲーションシステムである。ＧＰＳ衛星は、一日に地球を２周回り、非常に正確な軌道で運行しながら地球に自分の位置情報を送信する。ＧＰＳ受信機は、当該情報を獲得し、三角測量技術を用いてユーザの現在の正確な位置を算出する。
【００４３】
第２の方式：移動測位技術を通じて、上記ユーザの現在の位置情報を確定する。
【００４４】
例えば、ＣＯＯ（Ｃｅｌｌ Ｏｆ Ｏｒｉｇｉｎ，携帯電話基地局測位）移動測位技術を採用して、ユーザ端末を携えたユーザの現在位置を確定する。ここで、ＣＯＯ移動測位技術は、セルラー電話システムで移動ユーザの位置を探す移動測位技術である。当該方法は、移動端末の所在領域で位置を示す。所在領域の基地局に登録すると、対応する領域に示すことができ、基地局の位置を探すことによって、ユーザ端末の現在位置を確定する。
【００４５】
第３の方式：室内測位技術を通じて、上記ユーザの現在の位置情報を確定する。
【００４６】
室内測位技術は、ブルートゥース（登録商標）測位、ジグビー（Ｚｉｇｂｅｅ）（登録商標）測位、Ｗｉ−Ｆｉ（登録商標）測位などを含む。ここで、Ｗｉ−Ｆｉ測位は、具体的に、移動機器のＷｉ−Ｆｉ指紋に基づいて端末機器の位置を確定する技術である。具体的な過程は、下記のようである。まず、室内の各ＡＰ（Ａｃｃｅｓｓ Ｐｏｉｎｔ，無線ネットワークアクセスポイント）の情報を登録する。その後、室内の複数の収集ポイントで各ＡＰのＲＳＳＩ（Ｒｅｃｅｉｖｅｄ Ｓｉｇｎａｌ Ｓｔｒｅｎｇｔｈ Ｉｎｄｉｃａｔｉｏｎ，信号強度）を収集して収集ポイントの指紋とし、これをＷｉ−Ｆｉ指紋と称し、その後、収集したＷｉ−Ｆｉ指紋と位置情報をサーバに記憶する。最後に、ユーザ端末について測位する必要がある場合、ユーザ端末のＷｉ−Ｆｉ指紋をサーバにアップロードし、サーバは、事前に収集したデータに基づいて、ユーザ端末の現在の位置情報を判断する。
【００４７】
ステップ１２において、ユーザの出発階と目標階を獲得する。
【００４８】
本発明において、下記の何れかの方式を採用して、ユーザの出発階情報を獲得することができる。
【００４９】
第１の方式：ステップ１１で獲得したユーザの現在の位置情報に基づいて、大型建物のデジタル地理模型と合わせて、ユーザが現在位置する階情報を確定して、上記出発階とする。
【００５０】
第２の方式：室内ナビゲーションアプリケーションＡＰＰを作動させて、ユーザから入力された出発階情報をＡＰＰユーザインタフェースから受信する。
【００５１】
目標階情報の獲得は、ユーザが室内ナビゲーションアプリケーションＡＰＰインタフェースに入力した目標階情報に基づいて獲得することができる。
【００５２】
図２に示された本発明の１つの例示的な実施例に係る別のユーザの昇降機搭乗のインテリジェントガイド方法のフローチャートを参照すると、図１に示された実施例を基礎として、ステップ１２は、下記のステップを含んでもよい。
【００５３】
ステップ１２１において、室内ナビゲーションアプリケーションＡＰＰを作動させる。
【００５４】
本発明において、１つのケースでは、ユーザから入力された室内ナビゲーションアプリケーションＡＰＰを作動させるための操作指令に応答して、室内ナビゲーションアプリケーションＡＰＰを作動させる。上記ユーザの操作指令は、ユーザから入力されたユーザ身分認証情報、または指定の動作などであってもよい。例えば、ユーザから入力されたユーザ識別子をユーザ端末の室内ナビゲーションアプリケーションＡＰＰアプリケーションインタフェースから受信し、当該ユーザ識別子は、ユーザのアカウントであってもよい。バックグラウンドアプリケーションプログラムは、上記ユーザ識別子に対する身分認証を通じて、室内ナビゲーションアプリケーションＡＰＰを作動させ、本発明の１つの例示的な実施例に係るユーザの昇降機搭乗のインテリジェントガイド応用場面の模式図は、図３に示される。また、例えば、室内ナビゲーションアプリケーションＡＰＰイメージに対するユーザの実行動作に応答して、例えば、室内ナビゲーションアプリケーションＡＰＰアイコンなどに対するダブルクリックに応答して、上記実行動作と予め設定された動作を比較し、ユーザの実行動作が予め設定された動作に合う場合、図３に示されるように、室内ナビゲーションアプリケーションＡＰＰを作動させて該当するユーザインタフェースを提供してもよい。
【００５５】
別のケースでは、上記ユーザの現在位置が予め設定された地理範囲内にあると検出される場合、室内ナビゲーションアプリケーションＡＰＰを作動させる。
【００５６】
例えば、ユーザの現在の位置情報を獲得した後、ユーザが現在予め設定された百貨店内にいるか否かを判断し、ユーザが上記予め設定された百貨店に入ったと判断される場合、図３に示されるように、室内ナビゲーションアプリケーションＡＰＰを作動させてもよい。
【００５７】
ステップ１２２において、上記室内ナビゲーションアプリケーションＡＰＰを通じて、ユーザから入力された出発階と目標階を受信する。
【００５８】
室内ナビゲーションアプリケーションＡＰＰは、例えば指定の店を検索する機能、公共施設、例えばトイレ、昇降機を検索する機能などのいろいろな機能を提供することができ、販売者の商品情報を表示する機能なども提供することができる。本発明においては、主に、室内ナビゲーションアプリケーションＡＰＰの昇降機検索機能を利用する。上記昇降機検索機能に対応して、室内ナビゲーションアプリケーションＡＰＰは、対応するユーザインタフェース、例えば、タイトルが「昇降機ナビゲーション」であるユーザインタフェースを提供し、当該ユーザインタフェースは、ユーザの操作入力画面を提供し、当該ユーザの操作入力画面を通じて、ユーザの出発階、目標階情報を入力することができる。
【００５９】
ユーザとスマート機器の間の具体的なインタラクションの実現方式は、ユーザの操作入力画面の実現方式と関連する。ユーザの操作入力画面の実現方式は、いろいろあり、対応的に、ユーザとスマート機器の間のインタラクションの実現方式もいろいろある。
【００６０】
例えば、図４Ａに示された本発明の１つの例示的な実施例に係るユーザの昇降機搭乗のインテリジェントガイド応用場面の模式図を参照すると、上記昇降機ナビゲーションのユーザインタフェースに操作ボタンを表示する方式を通じて、ユーザの操作入力画面を提供する。現在、大部分の携帯電話にはタッチスクリーンが取り付けられているため、ユーザインタフェースに表示される操作ボタンなどを通じて、ユーザの操作入力画面を提供することができ、ユーザは、タッチスクリーンで該当するボタンを直接クリックして出発階と目標階を設定することができる。
【００６１】
または、図４Ｂに示された本発明の１つの例示的な実施例に係るユーザの昇降機搭乗のインテリジェントガイド応用場面の模式図を参照すると、上記昇降機ナビゲーションのユーザインタフェースで音声入力をプロンプトする方式を通じて、ユーザの操作入力画面を提供する。具体的な実現方式は、昇降機ナビゲーションのユーザインタフェースに音声入力ボタンを提供してユーザの操作入力画面とすることができ、ユーザが音声入力ボタンをクリックすると、ユーザ端末のマイクなどの音声入力装置をオンにして、ユーザから入力された音声情報を受信することができる。例えば、ユーザは、ユーザ端末のマイクに対して、「１階から６階に」と話すことができ、これに応じて、室内ナビゲーションアプリケーションＡＰＰは、音声入力信号を識別して、出発階を１階に設定し、目標階を６階に設定することができる。
【００６２】
または、図４Ｃに示された本発明の１つの例示的な実施例に係るユーザの昇降機搭乗のインテリジェントガイド応用場面の模式図を参照すると、上記昇降機ナビゲーションのユーザインタフェースでテキスト入力をプロンプトする方式を通じて、ユーザの操作入力画面を提供する。具体的な実現方式は、昇降機ナビゲーションのユーザインタフェースに出発階テキスト入力ボックスと目標階テキスト入力ボックスを提供して、ユーザの操作入力画面とすることができる。ユーザは、ソフトキーボードを通じて、出発階テキストボックスに出発階、例えば１を入力し、目標階テキストボックスに目標階、例えば６を入力する。
【００６３】
ステップ１３において、上記ユーザの現在の位置情報、上記出発階と目標階に基づいて、目標昇降機に到達する経路情報を獲得する。
【００６４】
図５に示された本発明の１つの例示的な実施例に係る別のユーザの昇降機搭乗のインテリジェントガイド方法のフローチャートを参照すると、図１に示された実施例を基礎として、ステップ１３は、下記のステップを含んでもよい。
【００６５】
ステップ１３１において、上記出発階と目標階の差に基づいて、目標候補昇降機を確定する。
【００６６】
本発明の実施例において、図６に示された本発明の１つの例示的な実施例に係る別のユーザの昇降機搭乗のインテリジェントガイド方法のフローチャートを参照すると、図５に示された実施例を基礎として、ステップ１３１は、下記のステップを含んでもよい。
【００６７】
ステップ１３１１において、上記目標階と上記出発階の階差値を算出する。
【００６８】
ステップ１３１２において、上記階差値が予め設定された閾値より小さいか否かを判断し、そうである場合、ステップ１３１３を実行し、そうではない場合、ステップ１３１４を実行する。
【００６９】
ステップ１３１３において、エスカレータを上記目標候補昇降機とする。
【００７０】
ステップ１３１４において、エレベータを上記目標候補昇降機とする。
【００７１】
室内ナビゲーションアプリケーションＡＰＰのバックグラウンドアプリケーションプログラムにおいて、予め設定された閾値が３であると、対応する予め設定されたルールは、階差値が３より小さい場合、ユーザにエスカレータへの搭乗を推薦し、階差値が３以上である場合、ユーザにエレベータへの搭乗を推薦する。
【００７２】
例えば、ユーザ端末が獲得した出発階が６であり、目標階が４である場合、階差値が２ということが分かり、上記予め設定された閾値に対応する予め設定されたルールによると、２が３より小さいため、室内ナビゲーションアプリケーションＡＰＰは、ユーザがエスカレータに搭乗して目標階に到達するように推薦する。
【００７３】
また、例えば、ユーザ端末が獲得した出発階が１であり、目標階が６である場合、階差値が５ということが分かり、上記予め設定された閾値に対応する予め設定されたルールによると、５が３より大きいため、室内ナビゲーションアプリケーションＡＰＰは、ユーザがエレベータに搭乗して目標階に到達するように推薦する。上記エレベータは、客用エレベータ、または荷物用エレベータを含んでもよい。
【００７４】
ステップ１３２において、同一の階におけるすべての目標候補昇降機の位置情報を獲得する。
【００７５】
本発明において、図７に示された本発明の１つの例示的な実施例に係るユーザの昇降機搭乗のインテリジェントガイド応用場面の模式図を参照すると、上記の例に対応して、百貨店のＧＩＳデータベースからユーザが現在位置する階のすべてのエレベータの位置情報を獲得する。１つの階にエレベータが３台あり、昇降機識別子がＡ、Ｂ、Ｃであり、それぞれ第１の位置情報、第２の位置情報、第３の位置情報に対応すると仮定する。
【００７６】
ステップ１３３において、上記ユーザの現在の位置情報と上記すべての目標候補昇降機の位置情報に基づいて、最も近い目標候補昇降機に到達する経路情報を獲得する。
【００７７】
上記の例に対応して、ユーザが現在位置する位置が百貨店の入口Ｏであると仮定すると、ユーザが現在位置する入口の位置情報と上記第１の位置情報、第２の位置情報、第３の位置情報に基づいて、ＯＡ、ＯＢ、ＯＣの経路の長さをそれぞれ算出し、最も短い経路に対応する経路情報を上記経路情報とする。例えば、算出と比較を通じて、昇降機Ｂがユーザから最も近いということが分かり、昇降機Ｂに到達する経路情報を獲得する。
【００７８】
同じように、上記目標候補昇降機がエスカレータである場合、現在の階のすべてのエスカレータの位置情報を獲得し、ユーザから最も近いエスカレータを算出し、最も近いエスカレータに到達する対応する経路情報を生成する。エスカレータについて、ユーザから最も近いエスカレータの算出は、同一の階の昇降機の入口からユーザまでの距離を考慮するだけではなく、ユーザがどの昇降機に搭乗することが最も便利であるかの角度からも考慮してエスカレータを選択しなければならない。例えば、ユーザの出発階が６階であり、目標階が４階である場合、百貨店のＧＩＳ情報に基づいて、６階のすべてのエスカレータの位置情報を獲得するとともに、６階から４階まで直行するエスカレータがあるか否かを判断し、ある場合、優先的に直行昇降機を目標エスカレータとして選択する。６階から４階まで直行するエスカレータがない場合、各エスカレータからユーザまでの距離の遠さに基づいて、最も近いエスカレータを目標エスカレータとして選択する。
【００７９】
ステップ１４において、上記経路情報に基づいて、上記ユーザの目標昇降機への搭乗をガイドする。
【００８０】
本発明において、ＧＩＳは、大型建物の３次元の視覚模型を提供することができ、依然として大型百貨店を例とすると、上記経路情報は、百貨店の３次元の視覚模型に直感的に表示されることができ、経路の長さだけではなく、方向、沿道の店情報などをさらに含んでもよい。関連技術における自動車ナビゲーションのように、室内ナビゲーションアプリケーションＡＰＰは、ユーザの現在位置をリアルタイムに直感的に表示するだけではなく、ユーザがどの経路に沿って目標エレベータに到達するべきであるかもリアルタイムにプロンプトすることができる。例えば、幾つかの通路の交叉点に経路を表示するとともに、音声で、「左に曲がって３０メートル直進した後、右に曲がって昇降機Ｂに到達します」とプロンプトする。
【００８１】
まとめると、本発明に係るユーザの昇降機搭乗のインテリジェントガイド方法は、大型建物のＧＩＳデータベースを用いて、ユーザに昇降機情報を自動的に推薦し、目標昇降機に到達する経路情報を生成し、当該経路情報に基づいて、ユーザが目標昇降機に到達するようにガイドすることによって、迅速、且つインテリジェントにユーザにナビゲーションサービスを提供することができ、ユーザが大型建物で昇降機を探し回る不便さを避け、ユーザの時間を節約し、ユーザ体験を向上させる。
【００８２】
本発明において、目標候補昇降機がエスカレータである場合、エスカレータの運行方向がＧＩＳデータベースに記録されている運行方向と反対になっているか、または、互いに隣接する二つのエスカレータの運行方向が同じであって、ユーザ端末がユーザに提供した経路情報が間違う可能性がある。
【００８３】
上記の状況に対して、図８に示された本発明の１つの例示的な実施例に係る別のユーザの昇降機搭乗のインテリジェントガイド方法のフローチャートを参照すると、図１に示された実施例を基礎として、下記のステップをさらに含んでもよい。
【００８４】
ステップ１５において、目標候補昇降機がエスカレータである場合、ユーザが上記目標エスカレータに搭乗したか否かを判断する。
【００８５】
本発明において、下記の何れかの方式を採用して、ユーザが目標エスカレータに搭乗したか否かを判断することができる。
【００８６】
第１の方式：監視ビデオに基づいて、上記ユーザが目標エスカレータに搭乗したか否かを判断する。
【００８７】
例えば、百貨店サーバが獲得した監視ビデオデータを獲得し、ビデオ監視システムにより撮影された目標エスカレータが位置する箇所の監視ビデオ画面から、ユーザが約束どおりに目標エスカレータに搭乗したか否かを判断する。
【００８８】
第２の方式：ユーザに問い合わせる方式を通じて、上記ユーザが目標エスカレータに搭乗したか否かを判断する。
【００８９】
例えば、室内ナビゲーションシステムは、ユーザが目標エスカレータの位置に到達したことを検出した後、第２のユーザインタフェースを提供し、ダイアログボックス、選択ボタン、または音声プロンプトなどの方式で、ユーザに昇降機の運行方向が合っているか否かを問い合わせる。
【００９０】
ステップ１６において、上記ユーザが上記目標エスカレータに搭乗しなかった場合、第２のエスカレータを確定する。
【００９１】
上記第１の方式に対応して、ビデオ監視画面からユーザが目標昇降機に搭乗しなかったことを見つけると、例えば、ビデオ監視画面から、ユーザが目標エスカレータの位置する箇所に到達した後に突然経路を変更したことを見つけると、今回確定したエスカレータの方向が間違っていると判断し、ユーザのために新しい目標エスカレータ、即ち第２のエスカレータを新たに選択する。
【００９２】
上記第２の方式に対応して、上記問い合わせに対するユーザのフィードバック情報を受信する。例えば、ユーザが２階から３階に行くエスカレータを希望したのに対し、現在推薦してもらった目標エスカレータの運行方向が３階から２回に行く方向であることが分かった場合、上記第２のユーザインタフェースのユーザの操作入力画面を通じて、否定情報を入力する。目標昇降機の運行方向とユーザが希望した運行方向が反対になっていると確定すると、ユーザのために新しい目標エスカレータ、即ち第２のエスカレータを新たに選択する。
【００９３】
ステップ１７において、上記第２のエスカレータに到達する経路情報を獲得する。
【００９４】
ユーザの現在の位置情報と第２のエスカレータの位置情報に基づいて、第２のエスカレータに到達する経路情報を確定する。
【００９５】
ステップ１８において、上記第２の経路情報に基づいて、上記ユーザの上記第２のエスカレータへの搭乗をガイドする。
【００９６】
本発明において、目標昇降機がエスカレータである場合、ユーザが目標昇降機に到達するようにガイドした後、ユーザが目標エスカレータに搭乗したか否かを判断するステップを追加し、ユーザが約束どおりに目標エスカレータに搭乗しなかった場合、現在の目標昇降機の運行方向が間違っていると確定し、新たに第２のエスカレータを確定し、該当する経路情報を生成し、ユーザが第２の目標エスカレータに順調に搭乗するようにガイドする。
【００９７】
上記の各方法の実施例に対して、記述の簡便性のために、いずれも一連の動作の組合せとして記述したが、本発明によると、一部のステップが別の順番で実行されるか、または同時に実行されてもよいため、当業者は、本発明が記述された動作順番に限定されないことを理解すべきである。
【００９８】
また、当業者は、明細書において記述された実施例がいずれも選択可能な実施例であり、言及された動作とモジュールが本発明の必ずしも必要なものではないことも理解すべきである。
【００９９】
上記アプリケーション機能の実現方法の実施例に対応して、本発明は、アプリケーション機能の実現装置、及び該当する端末の実施例をさらに提供する。
【０１００】
上記本発明のユーザの昇降機搭乗のインテリジェントガイド方法の実施例に対応して、ユーザの昇降機搭乗のインテリジェントガイド装置の実施例をさらに提供する。下記に図面と合わせて具体的に説明する。
【０１０１】
図９を参照すると、本発明の１つの例示的な実施例に係るユーザの昇降機搭乗のインテリジェントガイド装置のブロック図であり、
ユーザの現在の位置情報を確定するように構成される位置確定モジュール２１と、
ユーザの出発階と目標階を獲得するように構成される階確定モジュール２２と、
上記ユーザの現在の位置情報、上記出発階と目標階に基づいて、目標昇降機に到達する経路情報を獲得するように構成される第１の経路確定モジュール２３と、
上記経路情報に基づいて、上記ユーザの目標昇降機への搭乗をガイドするように構成される第１のガイドモジュール２４と、を含む。
【０１０２】
図１０に示された本発明の１つの例示的な実施例に係る別のユーザの昇降機搭乗のインテリジェントガイド装置のブロック図を参照すると、図９に示された実施例を基礎として、位置確定モジュール２１は、
グローバル・ポジショニング・システムを通じて、上記ユーザの現在の位置情報を確定するように構成される第１の確定サブモジュール２１１と、
移動測位技術を通じて、上記ユーザの現在の位置情報を確定するように構成される第２の確定サブモジュール２１２と、
室内測位技術を通じて、上記ユーザの現在の位置情報を確定するように構成される第３の確定サブモジュール２１３と、を含んでもよい。
【０１０３】
図１１に示された本発明の１つの例示的な実施例に係る別のユーザの昇降機搭乗のインテリジェントガイド装置のブロック図を参照すると、図９に示された実施例を基礎として、階確定モジュール２２は、
室内ナビゲーションアプリケーションＡＰＰを作動させるように構成される作動サブモジュール２２１と、
上記室内ナビゲーションアプリケーションＡＰＰを通じて、ユーザから入力された出発階と目標階を受信するように構成される受信サブモジュール２２２と、を含んでもよい。
【０１０４】
図１２に示された本発明の１つの例示的な実施例に係る別のユーザの昇降機搭乗のインテリジェントガイド装置のブロック図を参照すると、図１１に示された実施例を基礎として、作動サブモジュール２２１は、
ユーザから入力された室内ナビゲーションアプリケーションＡＰＰを作動させるための操作指令に応答して、上記室内ナビゲーションアプリケーションＡＰＰを作動させるように構成される第１の作動ユニット２２１１、または、
上記ユーザの現在の位置情報が予め設定された地理範囲内にあると検出される場合、室内ナビゲーションアプリケーションＡＰＰを作動させるように構成される第２の作動ユニット２２１２を含んでもよい。
【０１０５】
図１３に示された本発明の１つの例示的な実施例に係るユーザの昇降機搭乗のインテリジェントガイド装置のブロック図を参照すると、図９に示された実施例を基礎として、第１の経路確定モジュール２３は、
上記出発階と目標階の差に基づいて、目標候補昇降機を確定するように構成される昇降機候補確定サブモジュール２３１と、
同一の階におけるすべての目標候補昇降機の位置情報を獲得するように構成される位置統計サブモジュール２３２と、
上記ユーザの現在の位置情報と上記すべての目標候補昇降機の位置情報に基づいて、最も近い目標候補昇降機に到達する経路情報を獲得するように構成される経路企画サブモジュール２３３と、を含んでもよい。
【０１０６】
図１４に示された本発明の１つの例示的な実施例に係るユーザの昇降機搭乗のインテリジェントガイド装置のブロック図を参照すると、図１３に示された実施例を基礎として、昇降機候補確定サブモジュール２３１は、
上記目標階と上記出発階の階差値を算出するように構成される算出ユニット２３１１と、
上記階差値が予め設定された閾値より小さいか否かを判断するように構成される判断ユニット２３１２と、
上記階差値が予め設定された閾値より小さい場合、エスカレータを上記目標候補昇降機とするように構成される第１の候補確定ユニット２３１３と、
上記階差値が上記予め設定された閾値以上である場合、エレベータを上記目標候補昇降機とするように構成される第２の候補確定ユニット２３１４と、を含んでもよい。
【０１０７】
図１５に示された本発明の１つの例示的な実施例に係るユーザの昇降機搭乗のインテリジェントガイド装置のブロック図を参照すると、図９に示された実施例を基礎として、上記装置は、
目標候補昇降機がエスカレータである場合、ユーザが目標エスカレータに搭乗したか否かを判断するように構成される搭乗判断モジュール２５と、
上記ユーザが上記目標エスカレータに搭乗しなかった場合、第２のエスカレータを確定するように構成される昇降機確定モジュール２６と、
上記第２のエスカレータに到達する第２の経路情報を獲得するように構成される第２の経路確定モジュール２７と、
上記第２の経路情報に基づいて、上記ユーザの上記第２のエスカレータへの搭乗をガイドするように構成される第２のガイドモジュール２８と、をさらに含んでもよい。
【０１０８】
図１６に示された本発明の１つの例示的な実施例に係るユーザの昇降機搭乗のインテリジェントガイド装置のブロック図を参照すると、図１５に示された実施例を基礎として、搭乗判断モジュール２５は、
監視ビデオに基づいて、上記ユーザが目標エスカレータに搭乗したか否かを判断するように構成される第１の判断サブモジュール２５１、または、
ユーザ問い問い合わせる方式を通じて、上記ユーザが目標エスカレータに搭乗したか否かを判断するように構成される第２の判断サブモジュール２５２を含んでもよい。
【０１０９】
上記装置の各ユニットの機能と作用の実現過程の細部は、上記方法の対応するステップの実現過程を参照すればよく、ここで説明を省略する。
【０１１０】
装置の実施例において、基本的に方法の実施例に対応するため、関連する部分については、方法の実施例の部分の説明を参照すればよい。以上で記述した装置の実施例は、ただ例示的なものであり、そのうち、分離部品として説明された上記モジュールは、物理的に分離されているものであってもよく、そうではなくてもよく、モジュールとして示された部品は、物理的なモジュールであってもよく、そうではなくてもよい。即ち、同一の場所に位置していてもよく、または複数のネットワークモジュールに分布されていてもよい。実際の必要によって、そのうちの一部又は全部のモジュールを選択して本発明に係る態様の目的を実現することができる。当業者は、創造性の労働を行わなくても、理解及び実施することができる。
【０１１１】
また、本発明は、ユーザの昇降機搭乗のインテリジェントガイド装置をさらに提供し、
プロセッサと、
上記プロセッサにより実行可能な命令を記憶するためのメモリと、を含み、
上記プロセッサは、
ユーザの現在の位置情報を確定し、
ユーザの出発階と目標階を獲得し、
上記ユーザの現在の位置情報、上記出発階と目標階に基づいて、目標昇降機に到達する経路情報を獲得し、
上記経路情報に基づいて、上記ユーザの目標昇降機への搭乗をガイドするように構成される。
【０１１２】
図１７は、１つの例示的な実施例に係るユーザの昇降機搭乗のインテリジェントガイドための装置１７００の構成の模式図である。例えば、装置１７００は、スマートフォン、ＰＤＡ、スマートブレスレットなどのスマート端末のようなユーザ端末として提供されることができる。
【０１１３】
図１７を参照すると、装置１７００は、プロセスアセンブリ１７０２、メモリ１７０４、電源アセンブリ１７０６、マルチメディアアセンブリ１７０８、オーディオアセンブリ１７１０、入出力（Ｉ／Ｏ）インタフェース１７１２、センサアセンブリ１７１４、及び通信アセンブリ１７１６のような１つ或いは複数のアセンブリを含んでもよい。
【０１１４】
プロセスアセンブリ１７０２は、一般的には装置１７００の全体の動作を制御するものであり、例えば、表示、電話呼び出し、データ通信、カメラ動作、及び記録動作と関連する動作を制御する。プロセスアセンブリ１７０２は、１つ以上のプロセッサ１７２０を含み、これらによって命令を実行することにより、上記の方法の全部、或は一部のステップを実現するようにしてもよい。なお、プロセスアセンブリ１７０２は、１つ以上のモジュールを含んでプロセスアセンブリ１７０２と他のアセンブリの間のインタラクションを容易にしてもよい。例えば、プロセスアセンブリ１７０２は、マルチメディアモジュールを含んでマルチメディアアセンブリ１７０８とプロセスアセンブリ１７０２の間のインタラクションを容易にしてもよい。
【０１１５】
メモリ１７０４は、各種類のデータを記憶することにより装置１７００の動作を支援するように構成される。これらのデータの例は、装置１７００において動作されるいずれのアプリケーションプログラム又は方法の命令、連絡対象データ、電話帳データ、メッセージ、画像、ビデオ等を含む。メモリ１７０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１１６】
電源アセンブリ１７０６は、装置１７００の各アセンブリに電力を供給する。電源アセンブリ１７０６は、電源管理システム、１つ或いは複数の電源、及び装置１７００のための電力の生成、管理、及び割り当てに関連する他のアセンブリを含んでもよい。
【０１１７】
マルチメディアアセンブリ１７０８は、上記装置１７００とユーザの間に１つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、１つ以上のタッチセンサを含み、タッチ、スライド、及びタッチパネル上のジェスチャを検出することができる。上記タッチセンサは、タッチ、或はスライド操作の境界だけでなく、上記タッチ、或はスライド操作に係る継続時間、及び圧力も検出できる。部分実施例において、マルチメディアアセンブリ１７０８は、１つのフロントカメラ、及び／又はリアカメラを含む。装置１７００が、例えば撮影モード、或はビデオモード等の動作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【０１１８】
オーディオアセンブリ１７１０は、オーディオ信号を入出力するように構成される。例えば、オーディオアセンブリ１７１０は、１つのマイク（ＭＩＣ）を含み、装置１７００が、例えば呼出しモード、記録モード、及び音声認識モード等の動作モードにある場合、マイクは外部のオーディオ信号を受信することができる。受信されたオーディオ信号は、さらにメモリ１７０４に記憶されたり、通信アセンブリ１７１６を介して送信されたりする。部分実施例において、オーディオアセンブリ１７１０は、オーディオ信号を出力するための１つのスピーカーをさらに含む。
【０１１９】
Ｉ／Ｏインタフェース１７１２は、プロセスアセンブリ１７０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１２０】
センサアセンブリ１７１４は、装置１７００に各方面の状態に対する評価を提供するための１つ以上のセンサを含む。例えば、センサアセンブリ１７１４は、装置１７００のＯＮ／ＯＦＦ状態、装置１７００のディスプレイとキーパッドのようなアセンブリの相対的な位置決めを検出できる。また、センサアセンブリ１７１４は、装置１７００、或いは装置１７００の１つのアセンブリの位置変更、ユーザと装置１７００とが接触しているか否か、装置１７００の方位、又は加速／減速、装置１７００の温度の変化を検出できる。センサアセンブリ１７１４は、何れの物理的接触がない状態にて付近の物体の存在を検出するための近接センサを含んでもよい。センサアセンブリ１７１４は、撮影アプリケーションに適用するため、ＣＭＯＳ、又はＣＣＤ画像センサのような光センサを含んでもよい。部分実施例において、当該センサアセンブリ１７１４は、加速度センサ、ジャイロスコープセンサ、磁気センサ、圧力センサ、及び温度センサをさらに含んでもよい。
【０１２１】
通信アセンブリ１７１６は、装置１７００と他の機器の間に有線、又は無線形態の通信を提供する。装置１７００は、例えばＷｉＦｉ、２Ｇ、３Ｇ、或はこれらの組み合わせのような、通信規格に基づいた無線ネットワークに接続されてもよい。１つの例示的な実施例において、通信アセンブリ１７１６は、放送チャンネルを介して外部の放送管理システムからの放送信号、又は放送に関連する情報を受信する。１つの例示的な実施例において、上記通信アセンブリ１７１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０１２２】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１２３】
本発明は、上記で記述し、図面で図示した特定の構成に限定されず、その範囲を離脱しない状況で、様様な修正と変更を実現できる。本発明の範囲は、添付される特許請求の範囲のみにより限定される。
【０１２４】
本願は、出願番号がＣＮ２０１５１０７１７７４２．０であって、出願日が２０１５年１０月２９日である中国特許出願に基づき優先権を主張し、当該中国特許出願のすべての内容を本願に援用する。
【手続補正２】
【補正対象書類名】特許請求の範囲
【補正対象項目名】全文
【補正方法】変更
【補正の内容】
【特許請求の範囲】
【請求項１】
ユーザの現在の位置情報を確定するステップと、
ユーザの出発階と目標階を獲得するステップと、
前記ユーザの現在の位置情報、前記出発階と目標階に基づいて、目標昇降機に到達する経路情報を獲得するステップと、
前記経路情報に基づいて、前記ユーザの前記目標昇降機への搭乗をガイドするステップと、
を含むことを特徴とするユーザの昇降機搭乗のインテリジェントガイド方法。
【請求項２】
グローバル・ポジショニング・システムを通じて、前記ユーザの現在の位置情報を確定する方式と、
移動測位技術を通じて、前記ユーザの現在の位置情報を確定する方式と、
室内測位技術を通じて、前記ユーザの現在の位置情報を確定する方式のうちの何れかの方式を採用して、前記ユーザの現在の位置情報を確定することを特徴とする請求項１に記載のユーザの昇降機搭乗のインテリジェントガイド方法。
【請求項３】
前記ユーザが搭乗する昇降機の出発階と目標階を獲得するステップは、
室内ナビゲーションアプリケーションＡＰＰを作動させるステップと、
前記室内ナビゲーションアプリケーションＡＰＰを通じて、前記ユーザから入力された出発階と目標階を受信するステップと、
を含むことを特徴とする請求項１に記載のユーザの昇降機搭乗のインテリジェントガイド方法。
【請求項４】
前記ユーザから入力された室内ナビゲーションアプリケーションＡＰＰを作動させるための操作指令に応答して、前記室内ナビゲーションアプリケーションＡＰＰを作動させる方式、または、
前記ユーザの現在の位置情報が予め設定された地理範囲内にあると検出される場合、前記室内ナビゲーションアプリケーションＡＰＰを作動させる方式のうちの何れかの方式を採用して、前記室内ナビゲーションアプリケーションＡＰＰを作動させることを特徴とする請求項３に記載のユーザの昇降機搭乗のインテリジェントガイド方法。
【請求項５】
前記ユーザの現在の位置情報、前記出発階と目標階に基づいて、前記目標昇降機に到達する経路情報を獲得するステップは、
前記出発階と目標階の差に基づいて、目標候補昇降機を確定するステップと、
同一の階におけるすべての目標候補昇降機の位置情報を獲得するステップと、
前記ユーザの現在の位置情報と前記すべての目標候補昇降機の位置情報に基づいて、最も近い目標候補昇降機に到達する経路情報を獲得するステップと、
を含むことを特徴とする請求項１に記載のユーザの昇降機搭乗のインテリジェントガイド方法。
【請求項６】
出発階と目標階の差に基づいて、前記目標候補昇降機を確定するステップは、
前記目標階と前記出発階の階差値を算出するステップと、
前記階差値が予め設定された閾値より小さいか否かを判断するステップと、
前記階差値が予め設定された閾値より小さい場合、エスカレータを前記目標候補昇降機とするステップと、
前記階差値が前記予め設定された閾値以上である場合、エレベータを前記目標候補昇降機とするステップと、
を含むことを特徴とする請求項５に記載のユーザの昇降機搭乗のインテリジェントガイド方法。
【請求項７】
前記目標候補昇降機がエスカレータである場合、前記ユーザが目標エスカレータに搭乗したか否かを判断するステップと、
前記ユーザが前記目標エスカレータに搭乗しなかった場合、第２のエスカレータを確定するステップと、
前記第２のエスカレータに到達する第２の経路情報を獲得するステップと、
前記第２の経路情報に基づいて、前記ユーザの前記第２のエスカレータへの搭乗をガイドするステップと、
をさらに含むことを特徴とする請求項６に記載のユーザの昇降機搭乗のインテリジェントガイド方法。
【請求項８】
前記ユーザが前記目標エスカレータに搭乗したか否かを判断するステップは、
監視ビデオに基づいて、前記ユーザが前記目標エスカレータに搭乗したか否かを判断するステップ、または、
前記ユーザに問い合わせる方式を通じて、前記ユーザが前記目標エスカレータに搭乗したか否かを判断するステップを含むことを特徴とする請求項７に記載のユーザの昇降機搭乗のインテリジェントガイド方法。
【請求項９】
ユーザの現在の位置情報を確定するように構成される位置確定モジュールと、
ユーザの出発階と目標階を獲得するように構成される階確定モジュールと、
前記ユーザの現在の位置情報、前記出発階と目標階に基づいて、目標昇降機に到達する経路情報を獲得するように構成される第１の経路確定モジュールと、
前記経路情報に基づいて、前記ユーザの前記目標昇降機への搭乗をガイドするように構成される第１のガイドモジュールと、
を含むことを特徴とするユーザの昇降機搭乗のインテリジェントガイド装置。
【請求項１０】
前記位置確定モジュールは、
グローバル・ポジショニング・システムを通じて、前記ユーザの現在の位置情報を確定するように構成される第１の確定サブモジュールと、
移動測位技術を通じて、前記ユーザの現在の位置情報を確定するように構成される第２の確定サブモジュールと、
室内測位技術を通じて、前記ユーザの現在の位置情報を確定するように構成される第３の確定サブモジュールと、
を含むことを特徴とする請求項９に記載のユーザの昇降機搭乗のインテリジェントガイド装置。
【請求項１１】
前記階確定モジュールは、
室内ナビゲーションアプリケーションＡＰＰを作動させるように構成される作動サブモジュールと、
前記室内ナビゲーションアプリケーションＡＰＰを通じて、前記ユーザから入力された出発階と目標階を受信するように構成される受信サブモジュールと、
を含むことを特徴とする請求項９に記載のユーザの昇降機搭乗のインテリジェントガイド装置。
【請求項１２】
前記作動サブモジュールは、
前記ユーザから入力された室内ナビゲーションアプリケーションＡＰＰを作動させるための操作指令に応答して、前記室内ナビゲーションアプリケーションＡＰＰを作動させるように構成される第１の作動ユニット、または、
前記ユーザの現在の位置情報が予め設定された地理範囲内にあると検出される場合、前記室内ナビゲーションアプリケーションＡＰＰを作動させるように構成される第２の作動ユニットを含むことを特徴とする請求項１１に記載のユーザの昇降機搭乗のインテリジェントガイド装置。
【請求項１３】
前記第１の経路確定モジュールは、
前記出発階と目標階の差に基づいて、目標候補昇降機を確定するように構成される昇降機候補確定サブモジュールと、
同一の階におけるすべての目標候補昇降機の位置情報を獲得するように構成される位置統計サブモジュールと、
前記ユーザの現在の位置情報と前記すべての目標候補昇降機の位置情報に基づいて、最も近い目標候補昇降機に到達する経路情報を獲得するように構成される経路企画サブモジュールと、
を含むことを特徴とする請求項９に記載のユーザの昇降機搭乗のインテリジェントガイド装置。
【請求項１４】
前記昇降機候補確定サブモジュールは、
前記目標階と前記出発階の階差値を算出するように構成される算出ユニットと、
前記階差値が予め設定された閾値より小さいか否かを判断するように構成される判断ユニットと、
前記階差値が予め設定された閾値より小さい場合、エスカレータを前記目標候補昇降機とするように構成される第１の候補確定ユニットと、
前記階差値が前記予め設定された閾値以上である場合、エレベータを前記目標候補昇降機とするように構成される第２の候補確定ユニットと、
を含むことを特徴とする請求項１３に記載のユーザの昇降機搭乗のインテリジェントガイド装置。
【請求項１５】
前記目標候補昇降機がエスカレータである場合、前記ユーザが目標エスカレータに搭乗したか否かを判断するように構成される搭乗判断モジュールと、
前記ユーザが前記目標エスカレータに搭乗しなかった場合、第２のエスカレータを確定するように構成される昇降機確定モジュールと、
前記第２のエスカレータに到達する第２の経路情報を獲得するように構成される第２の経路確定モジュールと、
前記第２の経路情報に基づいて、前記ユーザの前記第２のエスカレータへの搭乗をガイドするように構成される第２のガイドモジュールと、
をさらに含むことを特徴とする請求項１４に記載のユーザの昇降機搭乗のインテリジェントガイド装置。
【請求項１６】
前記搭乗判断モジュールは、
監視ビデオに基づいて、前記ユーザが前記目標エスカレータに搭乗したか否かを判断するように構成される第１の判断サブモジュール、または、
ユーザに問い合わせる方式を通じて、前記ユーザが前記目標エスカレータに搭乗したか否かを判断するように構成される第２の判断サブモジュールを含むことを特徴とする請求項１５に記載のユーザの昇降機搭乗のインテリジェントガイド装置。
【請求項１７】
プロセッサと、
前記プロセッサにより実行可能な命令を記憶するためのメモリと、
を含み、
前記プロセッサは、
ユーザの現在の位置情報を確定し、
ユーザの出発階と目標階を獲得し、
前記ユーザの現在の位置情報、前記出発階と目標階に基づいて、目標昇降機に到達する経路情報を獲得し、
前記経路情報に基づいて、前記ユーザの目標昇降機への搭乗をガイドするように構成されることを特徴とするユーザの昇降機搭乗のインテリジェントガイド装置。
【請求項１８】
プロセッサに実行されることにより、請求項１〜８のいずれかに記載のユーザの昇降機搭乗のインテリジェントガイド方法を実現することを特徴とするプログラム。
【請求項１９】
請求項１８に記載のプログラムが記録された記録媒体。
【国際調査報告】
2018504613.tif 000022
2018504613.tif 000023
2018504613.tif 000024
2018504613.tif 000025